(57)【要約】【課題】  人員を配置する必要はなく、さらに時間と労力とを要せずにＩＣカードの売上合計額や手数料を算出することができるカード決済システムを提供する。【解決手段】  このカード決済システムでは、病院１内に設置された有料設備の売上金額がＩＣカード２から減算される。ＩＣカード２は、関係者所持用カード毎（患者用カード４，医療施設職員用カード５，学生用カード６，その他カード７）に区分され、有料設備の売上金額および利用回数を記憶する記憶手段を有する。このシステムは、ＩＣカード２に記憶された売上金額および利用回数を読み取ることが可能な精算設備３を備え、精算設備３が関係者所持用カード毎に区分された第１売上合計額を算出する計算手段と関係者所持用カード毎の第１売上合計額の明細を出力する出力手段とを有する。【選択図】  図１
2005056402.tif 000002
【特許請求の範囲】
【請求項１】
特定の施設内に設置された多数の有料設備と、前記施設の多数の関係者が個別に所持するＩＣカードとから構成され、前記ＩＣカードを使用して前記関係者が有料設備において所定の商取引を行うことが可能であり、前記商取引に伴う有料設備毎の売上金額が前記ＩＣカードから減算されるカード決済システムであって、
前記ＩＣカードが、前記関係者の前記施設に対する関連形態に基づいて数種類の関係者所持用カードに区分されているとともに、前記商取引に伴う売上金額を記憶する記憶手段を有し、前記システムが、前記ＩＣカードに記憶された売上金額を該ＩＣカードから読み取ることが可能な精算装置を備え、
前記精算装置が、前記ＩＣカードから読み取った売上金額を集計して前記関係者所持用カード毎に区分された第１売上合計額を算出する計算手段と、前記関係者所持用カード毎の売上金額および第１売上合計額のうちの少なくとも該第１売上合計額の明細を出力する出力手段とを有することを特徴とするカード決済システム。
【請求項２】
前記精算装置の計算手段が、前記第１売上合計額に所定の利益率を乗じて手数料を算出可能であり、前記精算装置の出力手段が、前記第１売上合計額に対する手数料の明細を出力可能である請求項１記載のカード決済システム。
【請求項３】
前記ＩＣカードの記憶手段が、前記商取引に伴う売上金額を日別または月別に区分して記憶し、前記精算装置の計算手段が、前記ＩＣカードから読み取った売上金額を所定の日数単位または月単位で集計し、所定の日数単位または月単位における前記第１売上合計額を算出可能であり、前記精算装置の出力手段が、所定の日数単位または月単位における前記第１売上合計額の明細を出力可能である請求項１記載のカード決済システム。
【請求項４】
前記精算装置の計算手段が、所定の日数単位または月単位で集計した前記第１売上合計額に所定の利益率を乗じて手数料を算出可能であり、前記精算装置の出力手段が、所定の日数単位または月単位で集計した前記第１売上合計額に対する手数料の明細を出力可能である請求項３記載のカード決済システム。
【請求項５】
前記ＩＣカードの記憶手段が、前記商取引に伴う売上金額を前記有料設備毎に区分して記憶可能であり、前記精算装置の計算手段が、前記ＩＣカードから読み取った売上金額を集計して前記関係者所持用カード毎であって前記有料設備毎に区分された第２売上合計額を算出可能であり、前記精算装置の出力手段が、前記関係者所持用カード毎であって前記有料設備毎の売上金額および第２売上合計額のうちの少なくとも該第２売上合計額の明細を出力可能である請求項１ないし請求項４いずれかに記載のカード決済システム。
【請求項６】
前記精算装置の計算手段が、前記第２売上合計額に所定の利益率を乗じて手数料を算出可能であり、前記精算装置の出力手段が、前記第２売上合計額に対する手数料の明細を出力可能である請求項５記載のカード決済システム。
【請求項７】
前記ＩＣカードの記憶手段が、前記商取引に伴う売上金額を日別または月別に区分して記憶し、前記精算装置の計算手段が、前記ＩＣカードから読み取った売上金額を所定の日数単位または月単位で集計し、所定の日数単位または月単位における前記第２売上合計額を算出可能であり、前記精算装置の出力手段が、所定の日数単位または月単位における前記第２売上合計額の明細を出力可能である請求項５または請求項６に記載のカード決済システム。
【請求項８】
前記精算装置の計算手段が、所定の日数単位または月単位で集計した前記第２売上合計額に所定の利益率を乗じて手数料を算出可能であり、前記精算装置の出力手段が、所定の日数単位または月単位で集計した前記第２売上合計額に対する手数料の明細を出力可能である請求項７記載のカード決済システム。
【請求項９】
前記精算装置が、売上金額、第１および第２売上合計額、手数料を記憶可能である請求項８記載のカード決済システム。
【請求項１０】
前記ＩＣカードの記憶手段が、前記関係者の有料設備に対する利用回数を日別または月別に区分かつ有料設備毎に区分して記憶可能であり、前記精算装置が、前記ＩＣカードに記憶された有料設備の利用回数を該ＩＣカードから読み取ることが可能であり、
前記精算装置の計算手段が、所定の日数単位または月単位で前記有料設備の利用回数を集計し、前記関係者所持用カード毎の合計利用回数を算出可能であり、前記精算装置の出力手段が、前記関係者所持用カード毎の合計利用回数の明細を出力可能である請求項１ないし請求項９いずれかに記載のカード決済システム。
【請求項１１】
前記精算装置の計算手段が、前記関係者所持用カード毎であって前記有料設備毎の合計利用回数を算出可能であり、前記精算装置の出力手段が、前記関係者所持用カード毎であって前記有料設備毎の合計利用回数の明細を出力可能である請求項１０記載のカード決済システム。
【請求項１２】
前記精算装置が、利用回数、合計利用回数を記憶可能である請求項１０または請求項１１に記載のカード決済システム。
【請求項１３】
前記施設が、医療施設であり、前記関係者所持用カードが、患者用カード、医療施設職員用カード、学生用カード、その他カードである請求項１ないし請求項１２いずれかに記載のカード決済システム。
【請求項１４】
特定の施設内に設置された複数の有料設備と、前記施設の複数の関係者が個別に所持するＩＣカードと、前記ＩＣカードに記憶された情報を読み取る精算装置を備え、前記ＩＣカードを使用して前記関係者が前記有料設備において所定の商取引を行うことが可能であり、前記商取引に伴う有料設備毎の売上金額が前記ＩＣカードから減算されるカード決済システムであって、
前記ＩＣカードが、前記商取引に伴う有料設備毎の売上金額を記憶する記憶手段を有し、
前記精算装置が、前記ＩＣカードに記憶された有料設備毎の売上金額を該ＩＣカードから読み取る読取手段と、前記ＩＣカードから読み取った有料設備毎の売上金額を集計する計算手段を有することを特徴とするカード決済システム。
【請求項１５】
前記精算装置の前記計算手段が、複数のＩＣカードから読み取った有料設備毎の売上金額について、有料設備毎に売上金額の合計額を算出する請求項１４記載のカード決済システム。
【請求項１６】
前記ＩＣカードが、前記関係者の前記施設に対する関連形態に基づいて複数種類の関係者所持用カードに区分されており、
前記ＩＣカードが、該ＩＣカードの区分を識別する情報を記憶する区分識別情報記憶手段を有し、
前記精算装置の前記読取手段が、前記ＩＣカードの区分を識別する情報を該ＩＣカードから読み取り、
前記精算装置の前記計算手段が、複数のＩＣカードから読み取った有料設備毎の売上金額について、前記ＩＣカードの区分を示す関係者所持用カード毎であって有料設備毎に売上金額の合計額を算出する請求項１４記載のカード決済システム。
【請求項１７】
前記ＩＣカードが、前記関係者の前記施設に対する関連形態に基づいて複数種類の関係者所持用カードに区分されており、
前記精算装置の前記計算手段が、複数のＩＣカードから読み取った有料設備毎の売上金額について、有料設備毎に全てのＩＣカードの区分をまとめた売上金額の合計額を算出する請求項１４記載のカード決済システム。
【請求項１８】
前記施設が、医療施設であり、
前記ＩＣカードの区分を示す関係者所持用カードが、患者用カード、医療施設職員用カード、学生用カード、その他カードである請求項１６または請求項１７に記載のカード決済システム。
【請求項１９】
前記精算装置が、前記計算手段により得られた集計結果を出力する出力手段を有する請求項１４ないし請求項１８いずれかに記載のカード決済システム。
【請求項２０】
前記ＩＣカードの前記記憶手段が、日別または月別に区分して前記商取引に伴う有料設備毎の売上金額を記憶し、
前記精算装置の前記計算手段が、所定の日数単位または月単位で前記ＩＣカードから読み取った有料設備毎の売上金額を集計する請求項１４ないし請求項１９いずれかに記載のカード決済システム。
【請求項２１】
特定の施設内に設置された複数の有料設備と、前記施設の複数の関係者が個別に所持するＩＣカードと、前記ＩＣカードに記憶された情報を読み取る精算装置を備え、前記ＩＣカードを使用して前記関係者が前記有料設備において所定の商取引を行うことが可能であり、前記商取引に伴う売上金額が前記ＩＣカードから減算されるカード決済システムであって、
前記ＩＣカードが、前記関係者の前記施設に対する関連形態に基づいて複数種類の関係者所持用カードに区分されており、
前記ＩＣカードが、該ＩＣカードの区分を識別する情報を記憶する区分識別情報記憶手段を有し、
前記ＩＣカードが、前記商取引に伴う売上金額を記憶する記憶手段を有し、
前記精算装置が、前記ＩＣカードの区分を識別する情報を該ＩＣカードから読み取るとともに前記ＩＣカードに記憶された売上金額を該ＩＣカードから読み取る読取手段と、複数のＩＣカードから読み取った売上金額について前記ＩＣカードの区分を示す関係者所持用カード毎に売上金額の合計額を算出する計算手段を有することを特徴とするカード決済システム。
【請求項２２】
前記ＩＣカードの前記記憶手段が、残金を特定する情報を記憶し、
前記精算装置の前記読取手段が、前記ＩＣカードに記憶された残金を特定する情報を読み取り、
前記精算装置の前記計算手段が、複数のＩＣカードから読み取った残金について、前記ＩＣカードの区分を示す関係者所持用カード毎に残金の合計額を算出する請求項２１記載のカード決済システム。
【請求項２３】
前記ＩＣカードの前記記憶手段が、該ＩＣカードの初期的なチャージ金額を特定する情報を記憶し、
前記精算装置の前記読取手段が、前記ＩＣカードに記憶された初期的なチャージ金額を特定する情報を読み取り、
前記精算装置の前記計算手段が、複数のＩＣカードから読み取った初期的なチャージ金額について、前記ＩＣカードの区分を示す関係者所持用カード毎に初期的なチャージ金額の合計額を算出する請求項２１または請求項２２に記載のカード決済システム。
【請求項２４】
前記ＩＣカードの前記記憶手段が、該ＩＣカードの初期以外のチャージ金額を特定する情報を記憶し、
前記精算装置の前記読取手段が、前記ＩＣカードに記憶された初期以外のチャージ金額を特定する情報を読み取り、
前記精算装置の前記計算手段が、複数のＩＣカードから読み取った初期以外のチャージ金額について、前記ＩＣカードの区分を示す関係者所持用カード毎に、初期以外のチャージ金額の合計額を算出する請求項２１ないし請求項２３いずれかに記載のカード決済システム。
【請求項２５】
前記精算装置が、前記計算手段により得られた集計結果を出力する出力手段を有する請求項２１ないし請求項２４いずれかに記載のカード決済システム。
【請求項２６】
前記施設が、医療施設であり、
前記ＩＣカードの区分を示す関係者所持用カードが、患者用カード、医療施設職員用カード、学生用カード、その他カードである請求項２１ないし請求項２５いずれかに記載のカード決済システム。
【請求項２７】
前記ＩＣカードの前記記憶手段が、日別または月別に区分して前記商取引に伴う売上金額を記憶し、
前記精算装置の前記計算手段が、所定の日数単位または月単位で前記ＩＣカードから読み取った売上金額を集計する請求項２１ないし請求項２６いずれかに記載のカード決済システム。
【請求項２８】
特定の施設内に設置された複数の有料設備と、前記施設の複数の関係者が個別に所持するＩＣカードと、前記ＩＣカードに記憶された情報を読み取る精算装置と、前記ＩＣカードを販売するＩＣカード販売装置を備え、前記ＩＣカードを使用して前記関係者が前記有料設備において所定の商取引を行うことが可能であり、前記商取引に伴う売上金額が前記ＩＣカードから減算されるカード決済システムであって、
前記ＩＣカードが、前記関係者の前記施設に対する関連形態に基づいて複数種類の関係者所持用カードに区分されており、
前記システムが、前記ＩＣカードの区分を示す関係者所持用カード毎に前記ＩＣカード販売装置によるＩＣカードの販売金額または初期的なチャージ金額を集計する集計装置を備えたことを特徴とするカード決済システム。
【請求項２９】
特定の施設内に設置された複数の有料設備と、前記施設の複数の関係者が個別に所持するＩＣカードと、前記ＩＣカードに記憶された情報を読み取る精算装置と、前記ＩＣカードに対して入金を行うＩＣカード入金装置を備え、前記ＩＣカードを使用して前記関係者が前記有料設備において所定の商取引を行うことが可能であり、前記商取引に伴う売上金額が前記ＩＣカードから減算されるカード決済システムであって、
前記ＩＣカードが、前記関係者の前記施設に対する関連形態に基づいて複数種類の関係者所持用カードに区分されており、
前記システムが、前記ＩＣカードの区分を示す関係者所持用カード毎に前記ＩＣカード入金装置による入金金額を集計する集計装置を備えたことを特徴とするカード決済システム。
【請求項３０】
前記集計装置が、集計結果を出力する出力手段を有する請求項２８または請求項２９に記載のカード決済システム。
【請求項３１】
前記施設が、医療施設であり、
前記ＩＣカードの区分を示す関係者所持用カードが、患者用カード、医療施設職員用カード、学生用カード、その他カードである請求項２８ないし請求項３０いずれかに記載のカード決済システム。
【発明の詳細な説明】
【技術分野】
【０００１】
本発明は、有料設備において行われた商取引に伴う売上金額をＩＣカードから減算するカード決済システムに関する。
【背景技術】
【０００２】
施設内に設置された有料設備において行われた商取引に伴う売上金額を、その施設の来訪者や施設の職員等の関係者が所持するＩＣカードから減算するカード決済システムは公知である。有料設備には、施設の関係者が利用する自動販売機，売店，食堂，有料駐車場等がある。関係者は、あらかじめ所持するＩＣカードを使用し、売店で商品を購入したり、食堂で飲食物の提供を受けたり、駐車場を利用することができる。それら商取引に伴う売上金額は、それら有料設備に備えられたＩＣカードリーダ／ライタを介してＩＣカードから減算される。
【０００３】
ＩＣカードには、あらかじめ所定の金額がチャージされている。商取引においてＩＣカードにチャージされた金額が足りないときは、ＩＣカードリーダ／ライタに残金不足のメッセージが表示される。カード決済システムでは、関係者が現金を所持することなく、施設に設置された有料設備において商取引を行うことができるという利点がある。なお、そのようなカード決済システムの一例として、ＩＣカードにチャージされた金額が足りないときに、ＩＣカードが識別データと不足金額とを記憶し、不足金額を次の商取引における売上金額に加算し、売上金額と不足金額とをＩＣカードから減算するシステムがある（特許文献１参照）。
【０００４】
【特許文献１】特開２０００−１１０７６号公報
【発明の開示】
【発明が解決しようとする課題】
【０００５】
従来のカード決済システムでは、ＩＣカードを使用して商取引を行うことはできるが、商取引に伴う売上金額を集計して売上合計額を算出したり、売上合計額に所定の利益率を乗じて手数料を算出することはできない。売上合計額や売上合計額に対する手数料の算出は、施設の経営者または有料設備を設置した業者が個別に行わなければならず、経営者や業者がそのための人員を配置する必要がある。また、売上合計額や手数料を人手を介して手作業で算出しなければならず、それらの算出に計算ミスが生じ易く、それらの算出に多大な労力と時間とを要する。
【０００６】
本発明の目的は、人員を配置する必要はなく、さらに時間と労力とを要せずにＩＣカードの売上合計額や手数料を算出することができるカード決済システムを提供することにある。
【課題を解決するための手段】
【０００７】
前記課題を解決するための本発明の前提は、特定の施設内に設置された多数の有料設備と、前記施設の多数の関係者が個別に所持するＩＣカードとから構成され、前記ＩＣカードを使用して前記関係者が有料設備において所定の商取引を行うことが可能であり、前記商取引に伴う有料設備毎の売上金額が前記ＩＣカードから減算されるカード決済システムである。
【０００８】
前記前提における本発明の特徴は、前記ＩＣカードが、前記関係者の前記施設に対する関連形態に基づいて数種類の関係者所持用カードに区分されているとともに、前記商取引に伴う売上金額を記憶する記憶手段を有し、前記システムが、前記ＩＣカードに記憶された売上金額を該ＩＣカードから読み取ることが可能な精算装置を備え、前記精算装置が、前記ＩＣカードから読み取った売上金額を集計して前記関係者所持用カード毎に区分された第１売上合計額を算出する計算手段と、前記関係者所持用カード毎の売上金額および第１売上合計額のうちの少なくとも該第１売上合計額の明細を出力する出力手段とを有することにある。
【０００９】
本発明は、以下の実施態様を有する。
（１）前記精算装置の計算手段が、前記第１売上合計額に所定の利益率を乗じて手数料を算出可能であり、前記精算装置の出力手段が、前記第１売上合計額に対する手数料の明細を出力可能である。
【００１０】
（２）前記ＩＣカードの記憶手段が、前記商取引に伴う売上金額を日別または月別に区分して記憶し、前記精算装置の計算手段が、前記ＩＣカードから読み取った売上金額を所定の日数単位または月単位で集計し、所定の日数単位または月単位における前記第１売上合計額を算出可能であり、前記精算装置の出力手段が、所定の日数単位または月単位における前記第１売上合計額の明細を出力可能である。
【００１１】
（３）前記精算装置の計算手段が、所定の日数単位または月単位で集計した前記第１売上合計額に所定の利益率を乗じて手数料を算出可能であり、前記精算装置の出力手段が、所定の日数単位または月単位で集計した前記第１売上合計額に対する手数料の明細を出力可能である。
【００１２】
（４）前記ＩＣカードの記憶手段が、前記商取引に伴う売上金額を前記有料設備毎に区分して記憶可能であり、前記精算装置の計算手段が、前記ＩＣカードから読み取った売上金額を集計して前記関係者所持用カード毎であって前記有料設備毎に区分された第２売上合計額を算出可能であり、前記精算装置の出力手段が、前記関係者所持用カード毎であって前記有料設備毎の売上金額および第２売上合計額のうちの少なくとも該第２売上合計額の明細を出力可能である。
【００１３】
（５）前記精算装置の計算手段が、前記第２売上合計額に所定の利益率を乗じて手数料を算出可能であり、前記精算装置の出力手段が、前記第２売上合計額に対する手数料の明細を出力可能である。
【００１４】
（６）前記ＩＣカードの記憶手段が、前記商取引に伴う売上金額を日別または月別に区分して記憶し、前記精算装置の計算手段が、前記ＩＣカードから読み取った売上金額を所定の日数単位または月単位で集計し、所定の日数単位または月単位における前記第２売上合計額を算出可能であり、前記精算装置の出力手段が、所定の日数単位または月単位における前記第２売上合計額の明細を出力可能である。
【００１５】
（７）前記精算装置の計算手段が、所定の日数単位または月単位で集計した前記第２売上合計額に所定の利益率を乗じて手数料を算出可能であり、前記精算装置の出力手段が、所定の日数単位または月単位で集計した前記第２売上合計額に対する手数料の明細を出力可能である。
【００１６】
（８）前記精算装置が、売上金額、第１および第２売上合計額、手数料を記憶可能である。
【００１７】
（９）前記ＩＣカードの記憶手段が、前記関係者の有料設備に対する利用回数を日別または月別に区分かつ有料設備毎に区分して記憶可能であり、前記精算装置が、前記ＩＣカードに記憶された有料設備の利用回数を該ＩＣカードから読み取ることが可能であり、前記精算装置の計算手段が、所定の日数単位または月単位で前記有料設備の利用回数を集計し、前記関係者所持用カード毎の合計利用回数を算出可能であり、前記精算装置の出力手段が、前記関係者所持用カード毎の合計利用回数の明細を出力可能である。
【００１８】
（１０）前記精算装置の計算手段が、前記関係者所持用カード毎であって前記有料設備毎の合計利用回数を算出可能であり、前記精算装置の出力手段が、前記関係者所持用カード毎であって前記有料設備毎の合計利用回数の明細を出力可能である。
【００１９】
（１１）前記精算装置が、利用回数、合計利用回数を記憶可能である。
【００２０】
（１２）前記施設が、医療施設であり、前記関係者所持用カードが、患者用カード、医療施設職員用カード、学生用カード、その他カードである。ここで、医療施設とは、総合病院、専門病院、診療所をいう。
【００２１】
更に、本発明の構成について説明する。
前記課題を解決するための本発明の前提は、特定の施設内に設置された複数の有料設備と、前記施設の複数の関係者が個別に所持するＩＣカードと、前記ＩＣカードに記憶された情報を読み取る精算装置を備え、前記ＩＣカードを使用して前記関係者が前記有料設備において所定の商取引を行うことが可能であり、前記商取引に伴う有料設備毎の売上金額が前記ＩＣカードから減算されるカード決済システムである。
前記前提における本発明の特徴は、前記ＩＣカードが、前記商取引に伴う有料設備毎の売上金額を記憶する記憶手段を有し、前記精算装置が、前記ＩＣカードに記憶された有料設備毎の売上金額を該ＩＣカードから読み取る読取手段と、前記ＩＣカードから読み取った有料設備毎の売上金額を集計する計算手段を有することにある。
【００２２】
本発明は、以下の実施態様を有する。
（１）前記精算装置の前記計算手段が、複数のＩＣカードから読み取った有料設備毎の売上金額について、有料設備毎に売上金額の合計額を算出する。
（２）前記ＩＣカードが、前記関係者の前記施設に対する関連形態に基づいて複数種類の関係者所持用カードに区分されており、前記ＩＣカードが、該ＩＣカードの区分を識別する情報を記憶する区分識別情報記憶手段を有し、前記精算装置の前記読取手段が、前記ＩＣカードの区分を識別する情報を該ＩＣカードから読み取り、前記精算装置の前記計算手段が、複数のＩＣカードから読み取った有料設備毎の売上金額について、前記ＩＣカードの区分を示す関係者所持用カード毎であって有料設備毎に売上金額の合計額を算出する。
【００２３】
（３）前記ＩＣカードが、前記関係者の前記施設に対する関連形態に基づいて複数種類の関係者所持用カードに区分されており、前記精算装置の前記計算手段が、複数のＩＣカードから読み取った有料設備毎の売上金額について、有料設備毎に全てのＩＣカードの区分をまとめた売上金額の合計額を算出する。
（４）前記施設が、医療施設であり、前記ＩＣカードの区分を示す関係者所持用カードが、患者用カード、医療施設職員用カード、学生用カード、その他カードである。
（５）前記精算装置が、前記計算手段により得られた集計結果を出力する出力手段を有する。
（６）前記ＩＣカードの前記記憶手段が、日別または月別に区分して前記商取引に伴う有料設備毎の売上金額を記憶し、前記精算装置の前記計算手段が、所定の日数単位または月単位で前記ＩＣカードから読み取った有料設備毎の売上金額を集計する。
【００２４】
更に、本発明の構成について説明する。
前記課題を解決するための本発明の前提は、特定の施設内に設置された複数の有料設備と、前記施設の複数の関係者が個別に所持するＩＣカードと、前記ＩＣカードに記憶された情報を読み取る精算装置を備え、前記ＩＣカードを使用して前記関係者が前記有料設備において所定の商取引を行うことが可能であり、前記商取引に伴う売上金額が前記ＩＣカードから減算されるカード決済システムである。
前記前提における本発明の特徴は、前記ＩＣカードが、前記関係者の前記施設に対する関連形態に基づいて複数種類の関係者所持用カードに区分されており、前記ＩＣカードが、該ＩＣカードの区分を識別する情報を記憶する区分識別情報記憶手段を有し、前記ＩＣカードが、前記商取引に伴う売上金額を記憶する記憶手段を有し、前記精算装置が、前記ＩＣカードの区分を識別する情報を該ＩＣカードから読み取るとともに前記ＩＣカードに記憶された売上金額を該ＩＣカードから読み取る読取手段と、複数のＩＣカードから読み取った売上金額について前記ＩＣカードの区分を示す関係者所持用カード毎に売上金額の合計額を算出する計算手段を有することにある。
【００２５】
本発明は、以下の実施態様を有する。
（１）前記ＩＣカードの前記記憶手段が、残金を特定する情報を記憶し、前記精算装置の前記読取手段が、前記ＩＣカードに記憶された残金を特定する情報を読み取り、前記精算装置の前記計算手段が、複数のＩＣカードから読み取った残金について、前記ＩＣカードの区分を示す関係者所持用カード毎に残金の合計額を算出する。
（２）前記ＩＣカードの前記記憶手段が、該ＩＣカードの初期的なチャージ金額を特定する情報を記憶し、前記精算装置の前記読取手段が、前記ＩＣカードに記憶された初期的なチャージ金額を特定する情報を読み取り、前記精算装置の前記計算手段が、複数のＩＣカードから読み取った初期的なチャージ金額について、前記ＩＣカードの区分を示す関係者所持用カード毎に初期的なチャージ金額の合計額を算出する。
【００２６】
（３）前記ＩＣカードの前記記憶手段が、該ＩＣカードの初期以外のチャージ金額を特定する情報を記憶し、前記精算装置の前記読取手段が、前記ＩＣカードに記憶された初期以外のチャージ金額を特定する情報を読み取り、前記精算装置の前記計算手段が、複数のＩＣカードから読み取った初期以外のチャージ金額について、前記ＩＣカードの区分を示す関係者所持用カード毎に、初期以外のチャージ金額の合計額を算出する。
（４）前記精算装置が、前記計算手段により得られた集計結果を出力する出力手段を有する。
【００２７】
（５）前記施設が、医療施設であり、前記ＩＣカードの区分を示す関係者所持用カードが、患者用カード、医療施設職員用カード、学生用カード、その他カードである。
（６）前記ＩＣカードの前記記憶手段が、日別または月別に区分して前記商取引に伴う売上金額を記憶し、前記精算装置の前記計算手段が、所定の日数単位または月単位で前記ＩＣカードから読み取った売上金額を集計する。
【００２８】
更に、本発明の構成について説明する。
前記課題を解決するための本発明の前提は、特定の施設内に設置された複数の有料設備と、前記施設の複数の関係者が個別に所持するＩＣカードと、前記ＩＣカードに記憶された情報を読み取る精算装置と、前記ＩＣカードを販売するＩＣカード販売装置を備え、前記ＩＣカードを使用して前記関係者が前記有料設備において所定の商取引を行うことが可能であり、前記商取引に伴う売上金額が前記ＩＣカードから減算されるカード決済システムである。
前記提案における本発明の特徴は、前記ＩＣカードが、前記関係者の前記施設に対する関連形態に基づいて複数種類の関係者所持用カードに区分されており、前記システムが、前記ＩＣカードの区分を示す関係者所持用カード毎に前記ＩＣカード販売装置によるＩＣカードの販売金額または初期的なチャージ金額を集計する集計装置を備えたことにある。
【００２９】
本発明は、以下の実施態様を有する。
（１）前記集計装置が、集計結果を出力する出力手段を有する。
（２）前記施設が、医療施設であり、前記ＩＣカードの区分を示す関係者所持用カードが、患者用カード、医療施設職員用カード、学生用カード、その他カードである。
【００３０】
更に、本発明の構成について説明する。
前記課題を解決するための本発明の前提は、特定の施設内に設置された複数の有料設備と、前記施設の複数の関係者が個別に所持するＩＣカードと、前記ＩＣカードに記憶された情報を読み取る精算装置と、前記ＩＣカードに対して入金を行うＩＣカード入金装置を備え、前記ＩＣカードを使用して前記関係者が前記有料設備において所定の商取引を行うことが可能であり、前記商取引に伴う売上金額が前記ＩＣカードから減算されるカード決済システムである。
前記提案における本発明の特徴は、前記ＩＣカードが、前記関係者の前記施設に対する関連形態に基づいて複数種類の関係者所持用カードに区分されており、前記システムが、前記ＩＣカードの区分を示す関係者所持用カード毎に前記ＩＣカード入金装置による入金金額を集計する集計装置を備えたことにある。
【００３１】
本発明は、以下の実施態様を有する。
（１）前記集計装置が、集計結果を出力する出力手段を有する。
（２）前記施設が、医療施設であり、前記ＩＣカードの区分を示す関係者所持用カードが、患者用カード、医療施設職員用カード、学生用カード、その他カードである。
【発明の効果】
【００３２】
本発明にかかるカード決済システムによれば、精算装置を介して関係者所持用カード毎の第１売上合計額を迅速かつ正確に算出することができるので、第１売上合計額を人手を介して手作業で算出する必要はなく、第１売上合計額の算出に要する労力と時間とを削減することができる（請求項１に対応）。
【００３３】
第１売上合計額に所定の利益率を乗じて手数料を算出することが可能なカード決済システムでは、精算装置を介して第１合計売上額に対する手数料を迅速かつ正確に算出することができので、第１合計売上額に対する手数料を手作業で算出する必要はなく、手数料の算出に要する労力と時間とを削減することができる（請求項２に対応）。
【００３４】
所定の日数単位または月単位で第１売上合計額を算出することが可能なカード決済システムでは、精算装置を介して所定の日数単位または月単位における第１売上合計額を迅速かつ正確に算出することができるので、所定の日数単位または月単位における第１売上合計額を手作業で算出する必要はなく、第１売上合計額の算出に要する労力と時間とを削減することができる（請求項３に対応）。
【００３５】
所定の日数単位または月単位における第１売上合計額に所定の利益率を乗じて手数料を算出することが可能なカード決済システムでは、精算装置を介して日数単位または月単位における第１合計売上額に対する手数料を迅速かつ正確に算出することができるので、日数単位または月単位における第１合計売上額に対する手数料を手作業で算出する必要はなく、手数料の算出に要する労力と時間とを削減することができる（請求項４に対応）。
【００３６】
関係者所持用カード毎であって有料設備毎の第２売上合計額を算出することが可能なカード決済システムでは、精算装置を介して第２合計売上額を迅速かつ正確に算出することができるので、第２売上合計額を手作業で算出する必要はなく、第２売上合計額の算出に要する労力と時間とを削減することができる（請求項５に対応）。
【００３７】
第２売上合計額に所定の利益率を乗じて手数料を算出することが可能なカード決済システムでは、精算装置を介して第２合計売上額に対する手数料を迅速かつ正確に算出することができるので、第２合計売上額に対する手数料を手作業で算出する必要はなく、手数料の算出に要する労力と時間とを削減することができる（請求項６に対応）。
【００３８】
所定の日数単位または月単位で第２売上合計額を算出することが可能なカード決済システムでは、精算装置を介して日数単位または月単位における第２売上合計額を迅速かつ正確に算出することができるので、日数単位または月単位における第２売上合計額を手作業で算出する必要はなく、第２売上合計額の算出に要する労力と時間とを大幅に削減することができる（請求項７に対応）。
【００３９】
所定の日数単位または月単位における第２売上合計額に所定の利益率を乗じて手数料を算出することが可能なカード決済システムでは、精算装置を介して日数単位または月単位における第２合計売上額に対する手数料を迅速かつ正確に算出することができるので、日数単位または月単位における第２合計売上額に対する手数料を手作業で算出する必要はなく、手数料の算出に要する労力と時間とを大幅に削減することができる（請求項８に対応）。
【００４０】
所定の日数単位または月単位における関係者所持用カード毎の合計利用回数を算出することが可能なカード決済システムでは、精算装置を介して所定の日数単位または月単位における関係者所持用カード毎の合計利用回数を迅速かつ正確に算出することができるの、所定の日数単位または月単位における関係者所持用カード毎の合計利用回数を手作業で算出する必要はなく、合計利用回数の算出に要する労力と時間とを削減することができる（請求項１０に対応）。
【００４１】
所定の日数単位または月単位における関係者所持用カード毎であって有料設備毎の合計利用回数を算出することが可能なカード決済システムでは、精算装置を介して所定の日数単位または月単位における関係者所持用カード毎であって有料設備毎の合計利用回数を迅速かつ正確に算出することができるの、所定の日数単位または月単位における関係者所持用カード毎であって有料設備毎の合計利用回数を手作業で算出する必要はなく、合計利用回数の算出に要する労力と時間とを削減することができる（請求項１１に対応）。
【００４２】
本発明にかかるカード決済システムによれば、精算装置を介して、有料設備毎の売上金額を集計することができる（請求項１４に対応）。
また、複数のＩＣカードについて、有料設備毎に、売上金額の合計額を算出することができる（請求項１５に対応）。
また、複数のＩＣカードについて、ＩＣカードの区分を示す関係者所持用カード毎であって有料設備毎に、売上金額の合計額を算出することができる（請求項１６に対応）。
また、有料設備毎に、全てのＩＣカードの区分をまとめた売上金額の合計額を算出することができる（請求項１７に対応）。
また、集計結果を出力することができる（請求項１９に対応）。
また、所定の日数単位または月単位で、有料設備毎の売上金額を集計することができる（請求項２０に対応）。
【００４３】
本発明にかかるカード決済システムによれば、精算装置を介して、複数のＩＣカードについて、ＩＣカードの区分を示す関係者所持用カード毎に、売上金額の合計額を算出することができる（請求項２１に対応）。
また、複数のＩＣカードについて、ＩＣカードの区分を示す関係者所持用カード毎に、残金の合計額を算出することができる（請求項２２に対応）。
また、複数のＩＣカードについて、ＩＣカードの区分を示す関係者所持用カード毎に、初期的なチャージ金額の合計額を算出することができる（請求項２３に対応）。
また、複数のＩＣカードについて、ＩＣカードの区分を示す関係者所持用カード毎に、初期以外のチャージ金額の合計額を算出することができる（請求項２４に対応）。
また、集計結果を出力することができる（請求項２５に対応）。
また、所定の日数単位または月単位で、売上金額を集計することができる（請求項２７に対応）。
【００４４】
本発明にかかるカード決済システムによれば、集計装置を介して、ＩＣカードの区分を示す関係者所持用カード毎に、ＩＣカード販売装置によるＩＣカードの販売金額または初期的なチャージ金額を集計することができる（請求項２８に対応）。
本発明にかかるカード決済システムによれば、集計装置を介して、ＩＣカードの区分を示す関係者所持用カード毎に、ＩＣカード入金装置による入金金額を集計することができる（請求項２９に対応）。
また、集計結果を出力することができる（請求項３０に対応）。
【発明を実施するための最良の形態】
【００４５】
添付の図面を参照し、本発明に係るカード決済システムの詳細を、それが病院（医療施設）に利用された場合を例として説明すると、以下のとおりである。
【００４６】
図１は、一例として示すカード決済システムの構成図である。図１では、説明の便宜上、自動販売機１１や食券券売機１３，テレビ１７，電話１４，１９等の有料設備、患者用カード４や医療施設職員用カード５，学生用カード６，その他カード７に区分されたＩＣカード２（関係者所持用カード）を１つだけ示しているが、実際には病院１内にそれらの有料設備が多数設置されているとともに、病院１の多数の関係者が多数のそれらカード４，５，６，７を所持している。
【００４７】
このシステムは、病院１の敷地内に設置された多数の有料設備と、病院１の多数の関係者が個別に所持するＩＣカード２と、ＩＣカード２を精算するための病院１の敷地内に設置された精算装置３とから構成されている。病院１の関係者は、ＩＣカード２を使用し、それら有料設備において所定の商取引を行うことができる。ＩＣカード２は、関係者の病院１に対する関連形態に基づいて数種類の関係者所持用カード（患者用カード４，医療施設職員用カード５，学生用カード６，その他カード７）に区分されている。患者用カード４，医療施設職員用カード５，学生用カード６，その他カード７には、それらカード４，５，６，７を識別するためのコード番号が付与されている。
【００４８】
患者用カード４は、入院患者や外来患者、健康診断者等の病院１で治療や検査を受ける者が所持し、医療施設職員用カード５は、病院１の医師，看護婦，放射線療法士，薬剤師，病院事務員等の病院職員が所持する。学生用カード６は、医学生や実習生が所持し、その他カード７は、保護者，来訪者，有料設備の設置業者等が所持する。それらのＩＣカード２は、病院１内に設置されたＩＣカード販売機８から購入することができる。ＩＣカード販売機８では、それに患者用カード４，医療施設職員用カード５，学生用カード６，その他カード７の別が表示されているとともに、１，０００円，５，０００円，１万円の別が表示されており（図示せず）、ＩＣカード２を購入するときに関係者がカード区分と金額とを選択する。
【００４９】
有料設備には、すべての関係者が利用する共通設備９と、原則として病院職員を除いた者が利用する専用設備１０とがある。ただし、病院職員も専用設備１０を利用することができる。共通設備９には、自動販売機１１，売店１２，食堂の食券券売機１３，公衆電話およびファクシミリ１４，コピー機１５，有料駐車場１６等がある。専用設備１０には、民放地上波放送テレビ１７およびＣＳやＢＳ等の自主放送テレビ１７，インターネット１８，電話１９，冷蔵庫２０，洗濯機２１，乾燥機２２等がある。専用設備１０は、個室に設置される場合と多床室に設置される場合とがある。有料設備には、それらを特定するためのコード番号が付与されている。精算装置３には、売店１２のＰＯＳレジ２３とＩＣカード精算機２４，２５とがある。ＰＯＳレジ２３は、売店１２の他に、食堂に設置されていてもよい。ＩＣカード精算機２４，２５は、病院１の内部と駐車場１６の出入口とに設置されている。病院１には、それら有料設備や精算装置３、ＩＣカード販売機８の他に、ＩＣカード２に金額をチャージすることができるＩＣカード入金機２６が設置されている。
【００５０】
自動販売機１１では、清涼飲料水やたばこ，食品を購入することができる。売店１２では、食品や書籍，日用品等のそこで販売される商品を購入することができる。食券券売機１３では、食券を購入し、食堂において飲食物の提供を受けることができる。電話およびファクシミリ１４，１９，冷蔵庫２０，洗濯機２１，乾燥機２２は、それらの利用時間に応じて料金が設定されている。コピー機１５は、複写枚数によって料金が異なる。駐車場１６は、駐車時間に応じて料金が設定されている。テレビ１７は、その放送時間に応じて料金が設定されている。関係者は、インターネット１８を介してホームページの閲覧やＷｅｂ検索を行うことができる。インターネット１８では、その利用時間に応じて料金が設定されている。
【００５１】
自動販売機１１，食券券売機１３，電話およびファクシミリ１４，１９，コピー機１５，テレビ１７，インターネット１８，冷蔵庫２０，洗濯機２１，乾燥機２２には、ＩＣカードリーダ／ライタ２７，２８が接続されている（図２参照）。それら有料設備では、利用した機器の売上金額や食券の売上金額をＩＣカードリーダ／ライタ２７，２８を介してＩＣカード２から減算することができる。それら有料設備では、ＩＣカードリーダ／ライタ２７，２８を介し、それら有料設備のコード番号と、有料設備の売上金額および利用回数とをＩＣカード２に書き込むことができる。有料設備の売上金額と利用回数とは、日別または月別に区分され、有料設備のコード番号と関連付けされてＩＣカード２に書き込まれる。有料設備の売上金額と利用回数とには、有料設備のコード番号の他に、売上金額や利用回数を書き込んだ格納時間と売上金額や利用回数を識別する識別番号とのうちの少なくとも一方が付与される。ＩＣカード２には、ＩＣカードリーダ／ライタ２７，２８から格納時間と識別番号とのうちの少なくとも一方が書き込まれる。
【００５２】
ＰＯＳレジ２３には、ＩＣカードリーダ／ライタ（図示せず）が接続されている。ＰＯＳレジ２３は、ＩＣカードリーダ／ライタを介し、売店１２において購入した商品の売上金額をＩＣカード２から減算することができる。ＰＯＳレジ２３は、ＩＣカードリーダ／ライタを介し、売店１２を特定するコード番号と、売店１２の売上金額および利用回数とをＩＣカード２に書き込むことができる。売店１２の売上金額と利用回数とは、日別または月別に区分され、売店１２のコード番号と関連付けされてＩＣカード２に書き込まれる。売店１２の売上金額と利用回数とには、売店１２のコード番号の他に、売上金額や利用回数を書き込んだ格納時間と売上金額や利用回数を識別する識別番号とのうちの少なくとも一方が付与される。ＩＣカード２には、ＩＣカードリーダ／ライタから格納時間と識別番号とのうちの少なくとも一方が書き込まれる。
【００５３】
ＰＯＳレジ２３は、ＩＣカードリーダ／ライタを介し、ＩＣカード２に記憶された売店１２のコード番号と、売店１２のコード番号と関連付けされた売上金額および利用回数とを読み取ることができ、さらに、ＩＣカード２に記憶された他の有料設備のコード番号、有料設備のコード番号と関連付けされた他の設備の売上金額および利用回数を読み取ることができる。ＰＯＳレジ２３は、読み取ったそれらデータを日別または月別に区分して記憶することができる。ＰＯＳレジ２３は、売上金額や利用回数とともにそれらに付与された格納時間と識別番号との少なくとも一方を記憶することができる。ＰＯＳレジ２３は、ＩＣカードリーダ／ライタを介してＩＣカード２に記憶された有料設備のコード番号や売上金額、利用回数をＩＣカード２から消去することができる。
【００５４】
ＩＣカード精算機２４，２５は、ＩＣカードリーダ／ライタ機能を有する。駐車場１６に設置されたＩＣカード精算機２５は、ＩＣカードリーダ／ライタ機能を介して駐車場１６の売上金額（駐車料金）をＩＣカード２から減算することができる。それらＩＣカード精算機２４，２５は、ＩＣカードリーダ／ライタ機能を介し、ＩＣカード２に記憶された有料設備（駐車場１６を含む）のコード番号と、有料設備のコード番号と関連づけされた設備の売上金額および利用回数とを読み取ることができ、読み取ったそれらデータを日別または月別に区分して記憶することができる。ＩＣカード精算機２４，２５は、売上金額や利用回数とともにそれらに付与された格納時間と識別番号との少なくとも一方を記憶することができる。ＩＣカード精算機２４，２５は、ＩＣカード２に記憶された有料設備のコード番号、売上金額、利用回数をＩＣカード２から消去することができる。
【００５５】
ＰＯＳレジ２３とＩＣカード精算機２４，２５とは、有料設備のコード番号、売上金額、利用回数をＩＣカード２から消去した後、ＩＣカード２に所定の金額をチャージすることができ、チャージした金額を関係者所持用カード毎（患者用カード４，医療施設職員用カード５，学生用カード６，その他カード７）に区分して記憶することができる。
【００５６】
ＰＯＳレジ２３とそれらＩＣカード精算機２４，２５とは、図示はしていないが、ネットワークを介して接続されている。このシステムでは、ＰＯＳレジ２３とＩＣカード精算機２４，２５とにおける重複したデータの蓄積を防止するため、たとえば、ＩＣカード精算機２４が特定の有料設備の売上金額や利用回数を記憶する際に、ネットワークを介してＰＯＳレジ２３や他のＩＣカード精算機２５にアクセスし、売上金額や利用回数に付与された格納時間と識別番号との少なくとも一方を照合する。格納時間や識別番号を照合した結果、同一の格納時間や識別番号が付与された売上金額、利用回数がすでにＰＯＳレジ２３や他のＩＣカード精算機２５に記憶されていれば、その売上金額や利用回数の記憶は行われない。
【００５７】
ＩＣカード２は、ＩＣチップ（図示せず）とＩＣカードリーダ／ライタにアクセスするための接触子（図示せず）とが組み込まれた接触型のもので、所定の記憶容量を有する。ＩＣカード２には、あらかじめ所定の金額がチャージされている。ＩＣカード２にチャージされた金額が不足した場合は、ＩＣカード入金機２６を介して所定の金額をチャージすることができる。チャージされた金額は、ＩＣカード２に記憶される。ＩＣカード２は、チャージ金額記憶機能の他に、有料設備のコード番号と、設備のコード番号と関連付けされた売上金額および利用回数と、売上金額や利用回数に付与された格納時間と識別番号との少なくとも一方とを記憶する記憶手段を有する。ＩＣカード２は、それら有料設備のコード番号によって売上金額と利用回数とを有料設備毎に区分して記憶することができる。
【００５８】
ＩＣチップは、ＣＰＵ（Central Processing Unit）と、データを記憶可能なメモリ部とから形成されている。ただし、ＣＰＵの代わりとして、暗証コードが合致したときにメモリ部を読み書きすることができるハードウェア（Ｐｉｎ）が組み込まれたものを使用することもできる。
【００５９】
メモリ部には、ＩＣカードリーダ／ライタ２７，２８（ＰＯＳレジ２３、ＩＣカード精算機２４，２５を含む）から書き込まれるコード番号や売上金額、利用回数等を記憶させるプログラムと、記憶したコード番号や売上金額、利用回数等をＩＣカードリーダ／ライタ２７，２８へ出力させるプログラムと、ＩＣカード２を関係者所持用カード毎（患者用カード４，医療施設職員用カード５，学生用カード６，その他カード７）に区分するためのコード番号とが格納されている。ＩＣカード２の使用時では、ＣＰＵがメモリ部に格納されているそれらプログラムを起動し、プログラムにしたがってコード番号や売上金額、利用回数等を記憶するとともに、コード番号や売上金額、利用回数等をＩＣカードリーダ／ライタ２７，２８へ出力する。
【００６０】
ＩＣカード２へのコード番号、売上金額、利用回数、格納時間、識別番号の書き込み時では、ＣＰＵがＩＣカードリーダ／ライタ２７，２８（ＰＯＳレジ２３、ＩＣカード精算機２４，２５を含む）から入力されたそれらデータを、メモリ部が記憶可能な所定の言語に変換し、変換した言語にアドレスを付け、言語をメモリ部に割り振られた物理アドレス領域に格納する。ＩＣカード２では、売上金額や利用回数の各データに日または月を区分するためのフラグを付けて記憶する。ＩＣカード２は、当月のデータをそのまま記憶する他に、前月のデータに第１フラグを付けて記憶したり、前々月のデータに第２フラグを付けて記憶する。ＩＣカード２は、売上金額や利用回数のデータを日別または月別に区分して記憶することができる。ＩＣカード２からのコード番号、売上金額、利用回数、格納時間、識別番号の読み込み時では、ＣＰＵがメモリ部の物理アドレス領域からそれに格納された言語を取り出し、言語をＩＣカードリーダ／ライタ２７，２８が読み込み可能なデータに変換した後、データをＩＣカードリーダ／ライタ２７，２８へ出力する。
【００６１】
なお、ＩＣカード２では、メモリ部の物理アドレス領域を多数に区分し、区分した物理アドレス領域毎に有料設備を割り当て、有料設備毎に割り当てられた物理アドレス領域に、有料設備における売上金額と利用回数とを書き込むこともできる。
【００６２】
ＰＯＳレジ２３とＩＣカード精算機２４，２５とは、以下に示す第１の計算手段を有する。ＰＯＳレジ２３とＩＣカード精算機２４，２５とは、ＩＣカード２から読み取った売上金額を集計し、ＩＣカード２のコード番号に基づいて関係者所持用カード毎に区分された売上合計額（第１売上合計額）を算出する（第１売上合計額算出手段）。ＰＯＳレジ２３とＩＣカード精算機２４，２５とは、関係者所持用カード毎の売上合計額に所定の利益率を乗じ、売上合計額に対する手数料を算出する（手数料算出手段）。利益率は、有料設備毎にあらかじめ設定されており、算出された売上合計額の数％から数十％である。なお、ＰＯＳレジ２３とＩＣカード精算機２４，２５とは、関係者所持用カード毎の売上金額それぞれに所定の利益率を乗じ、売上金額に対する手数料を算出することもできる。ＰＯＳレジ２３とＩＣカード精算機２４，２５とは、ＩＣカード２から読み取った利用回数を所定の日数単位または月単位で集計し、所定の日数単位または月単位における合計利用回数を算出する（合計利用回数算出手段）。合計利用回数は、ＩＣカード２のコード番号に基づいて関係者所持用カード毎に区分されて算出される。
【００６３】
ＰＯＳレジ２３とＩＣカード精算機２４，２５とは、以下に示す第１の出力手段を有する。ＰＯＳレジ２３とＩＣカード精算機２４，２５とは、関係者所持用カード毎に、売上合計額の明細、売上合計額に対する手数料の明細、合計利用回数の明細を出力する。なお、ＰＯＳレジ２３とＩＣカード精算機２４，２５とは、関係者所持用カード毎の売上金額の明細を出力することもでき、売上金額に対する手数料を算出する場合、関係者所持用カード毎の売上金額に対する手数料の明細を出力することができる。
【００６４】
ＰＯＳレジ２３とＩＣカード精算機２４，２５とは、以下に示す第２の計算手段を有する。ＰＯＳレジ２３とＩＣカード精算機２４，２５とは、ＩＣカード２から読み取った売上金額を集計し、ＩＣカード２のコード番号と有料設備のコード番号とに基づいて、関係者所持用カード毎であって有料設備毎に区分された売上合計額（第２売上合計額）を算出する（第２売上合計額計算手段）。ＰＯＳレジ２３とＩＣカード精算機２４，２５とは、関係者所持用カード毎であって有料設備毎の売上合計額に所定の利益率を乗じ、売上合計額に対する手数料を算出する（手数料計算手段）。なお、ＰＯＳレジ２３とＩＣカード精算機２４，２５とは、関係者所持用カード毎であって有料設備毎の売上金額それぞれに所定の利益率を乗じ、売上金額に対する手数料を算出することもできる。ＰＯＳレジ２３とＩＣカード精算機２４，２５とは、ＩＣカード２から読み取った利用回数を所定の日数単位または月単位で集計し、所定の日数単位または月単位における合計利用回数を算出する（合計利用回数計算手段）。合計利用回数は、ＩＣカード２のコード番号と有料設備のコード番号とに基づいて、関係者所持用カード毎であって有料設備毎に区分されて算出される。
【００６５】
ＰＯＳレジ２３とカード精算機２４，２５とは、以下に示す第２の出力手段を有する。ＰＯＳレジ２３とＩＣカード精算機２４，２５とは、関係者所持用カード毎であって有料設備毎に、売上合計額の明細、売上合計額に対する手数料の明細、合計利用回数の明細を出力する。なお、ＰＯＳレジ２３とＩＣカード精算機２４，２５とは、関係者所持用カード毎であって有料設備毎の売上金額の明細を出力することもでき、売上金額に対する手数料を算出する場合、関係者所持用カード毎であって有料設備毎の売上金額に対する手数料の明細を出力することができる。
【００６６】
売上合計額（第１および第２売上合計額）や手数料、合計利用回数の算出は、日別、あるいは、所定の日数単位または月単位で行われる。ここで、日別とは、１日毎（２４時間）であり、所定の日数単位とは、たとえば１０日毎、２０日毎等であり、月単位とは、１ヶ月毎、２ヶ月毎等である。ＰＯＳレジ２３とＩＣカード精算機２４，２５とは、データに付けられたフラグによって売上金額や利用回数のデータを、当月のデータ、前月のデータ、前々月のデータ等に区分したり、日別のデータに区分することができる。ＰＯＳレジ２３とＩＣカード精算機２４，２５とは、算出した売上合計額、売上合計額に対する手数料、合計利用回数を記憶することができる。
【００６７】
ＰＯＳレジ２３とＩＣカード精算機２４，２５とは、ＩＣカード２へのチャージ金額を関係者所持用カード毎に区分して集計し、関係者所持用カード毎の合計チャージ金額を算出することができる。合計チャージ金額の算出は、日別、あるいは、所定の日数単位または月単位で行われる。ＰＯＳレジ２３とＩＣカード精算機２４，２５とは、算出した合計チャージ金額を記憶することができる。ＰＯＳレジ２３とＩＣカード精算機２４，２５とは、関係者所持用カード毎の合計チャージ金額の明細を出力することができる。
【００６８】
ＰＯＳレジ２３とＩＣカード精算機２４，２５とには、図示はしていないが、ＩＣカードリーダ／ライタに接続された計算装置が内蔵されている。計算装置は、制御部および演算部を有するＣＰＵと、プログラムやコード番号、売上金額、売上合計額、手数料、利用回数、合計利用回数、格納時間、識別番号、チャージ金額、合計チャージ金額を記憶するメモリとから形成されている。計算装置には、図示はしていないが、キーボードやマウス等から形成された入力装置と、ディスプレイやプリンタ等から形成された出力装置とが入出力インターフェイスを介して接続されている。
【００６９】
ＣＰＵは、コード番号や売上金額、利用回数等を制御部へ転送する。制御部は、実行されるプログラムのアドレスに基づいて、メモリからプログラムを取り込んで解読し、必要な指令をＩＣカードリーダ／ライタや入力装置、出力装置に出力する。メモリの物理アドレス領域には、関係者所持用カード毎のコード番号や有料設備毎のコード番号が記憶されている。
【００７０】
制御部は、ＩＣカードリーダ／ライタから入力されたコード番号や日別または月別に区分した売上金額、利用回数、チャージ金額等をメモリが記憶可能な所定の言語に変換し、変換した言語をメモリに割り振られた物理アドレス領域に格納する。制御部では、転送されたコード番号、格納時間、識別番号の照合や売上金額、利用回数、チャージ金額の集計を演算部に指示する。
【００７１】
演算部は、制御部の指示にしたがって、関係者所持用カードのコード番号や有料設備のコード番号の照合を行うとともに、売上金額や利用回数に付与された格納時間、識別番号の少なくとも一方の照合を行う。演算部は、売上金額や利用回数を集計して関係者所持用カード毎の売上合計額（第１売上合計額）を算出し、売上合計額（第１売上合計額）に所定の利益率を乗じて売上合計額に対する手数料を算出するとともに、関係者所持用カード毎の合計利用回数を算出する。また、演算部は、売上金額や利用回数を集計し、関係者所持用カード毎であって有料設備毎の売上合計額（第２売上合計額）を算出し、売上合計額（第２売上合計額）に所定の利益率を乗じて売上合計額に対する手数料を算出するとともに、関係者所持用カード毎であって有料設備毎の合計利用回数を算出する。演算部は、チャージ金額を集計し、関係者所持用カード毎の合計チャージ金額を算出する。
【００７２】
演算部によって算出された売上合計額、手数料、合計利用回数、合計チャージ金額は、制御部を介してメモリが記憶可能な所定の言語に変換され、メモリの物理アドレス領域に格納される。制御部は、売上合計額、手数料、合計利用回数、合計チャージ金額を出力装置に転送し、それらをディスプレイに表示させるとともに、それらの明細をプリンタを介して印字させる。
【００７３】
図２は、このシステムにおけるＩＣカード２の使用および精算の手順を示す図である。関係者は、ＩＣカード販売機８からカード区分と金額とを選択してＩＣカード２（患者用カード４，医療施設職員用カード５，学生用カード６，その他カード７）を購入する。
【００７４】
関係者が駐車場１６を利用する場合は、出入口に設置されたＩＣカード精算機２５にＩＣカード２を挿入する。ＩＣカード精算機２５は、ＩＣカード２のコード番号に関連付けて駐車場１６への入場時間を記憶し、駐車場１６のコード番号、利用回数をＩＣカード２に書き込むとともに、駐車場１６の利用回数に付与された格納時間と識別番号との少なくとも一方をＩＣカード２に書き込む。関係者が駐車場１６から退場する場合、再びＩＣカード精算機２５にＩＣカード２を挿入すると、ＩＣカード精算機２５は、タイマを介して駐車時間を算出し、駐車時間に応じた売上金額（駐車料金）をＩＣカード２から減算する。ＩＣカード精算機２５は、駐車場１６のコード番号、売上金額をＩＣカード２に書き込むとともに、駐車場１６の売上金額に付与された格納時間と識別番号との少なくとも一方をＩＣカード２に書き込む。
【００７５】
関係者が自動販売機１１や食券券売機１３を使用する場合は、それらに接続されたＩＣカードリーダ／ライタ２７にＩＣカード２を挿入する。ＩＣカードリーダ／ライタ２７では、関係者がＩＣカード２を使用して自動販売機１１から清涼飲料水等を購入したり、食券券売機１３から食券を購入すると、それらの売上金額をＩＣカード２から減算し、自動販売機１１や食券券売機１３のコード番号、売上金額、利用回数をＩＣカード２に書き込むとともに、それら設備の売上金額や利用回数に付与された格納時間と識別番号との少なくとも一方をＩＣカード２に書き込む。
【００７６】
関係者が売店１２を利用する場合は、売店１２の係員がＰＯＳレジ２３に接続されたＩＣカードリーダ／ライタにＩＣカード２を挿入する。ＩＣカードリーダ／ライタでは、関係者が購入した商品の売上金額をＩＣカード２から減算し、売店１２のコード番号、売上金額、利用回数をＩＣカード２に書き込むとともに、売店１２の売上金額や利用回数に付与された格納時間と識別番号との少なくとも一方をＩＣカード２に書き込む。
【００７７】
関係者が電話およびファクシミリ１４，１９，テレビ１７，インターネット１８，冷蔵庫２０，洗濯機２１，乾燥機２２を使用する場合は、それらに接続されたＩＣカードリーダ／ライタ２８にＩＣカード２を挿入する。ＩＣカードリーダ／ライタ２８では、それにタイマが内蔵されており、それら有料設備の利用時間や放送時間に応じた売上金額をＩＣカード２から減算し、それら有料設備のコード番号、売上金額、利用回数をＩＣカード２に書き込むとともに、それら設備の売上金額や利用回数に付与された格納時間と識別番号との少なくとも一方をＩＣカード２に書き込む。関係者がコピー機１５を使用する場合は、それに接続されたＩＣカードリーダ／ライタ２８にＩＣカード２を挿入する。ＩＣカードリーダ／ライタ２８では、複写枚数に応じた売上金額をＩＣカード２から減算し、コピー機１５のコード番号、売上金額、利用回数をＩＣカード２に書き込むとともに、コピー機１５の売上金額や利用回数に付与された格納時間と識別番号との少なくとも一方をＩＣカード２に書き込む。
【００７８】
なお、有料設備がＩＣカード２のメモリ部の物理アドレス領域毎に割り当てられている場合、それら有料設備のＩＣカードリーダ／ライタ２７，２８は、有料設備のコード番号をＩＣカード２に書き込む必要はなく、設備における売上金額と利用回数とをＩＣカード２に書き込めばよい。ただし、売上金額と利用回数とには、格納時間と識別番号との少なくとも一方が付与される必要がある。
【００７９】
ＩＣカード２の精算は、ＰＯＳレジ２３やＩＣカード精算機２４，２５を介して行われる。売店１２において関係者がＩＣカード２を精算する場合は、売店１２の係員がＰＯＳレジ２３に接続されたＩＣカードリーダ／ライタにＩＣカード２を挿入した後、係員が精算を表示するバーコードをバーコードリーダで読み込む。ＩＣカード精算機２４，２５において関係者がＩＣカード２を精算する場合は、関係者がＩＣカード精算機２４，２５に接続されたＩＣカードリーダ／ライタにＩＣカード２を挿入した後、精算ボタンを押す。なお、駐車場１６に設置されたＩＣカード精算機２５は、駐車場１６からの退場時にＩＣカード２の精算を自動的に行うこともできる。
【００８０】
ＰＯＳレジ２３におけるＩＣカード２の精算時では、ＩＣカード２に記憶された各有料設備（売店を含む）のコード番号、各有料設備の売上金額および利用回数、格納時間と識別番号との少なくとも一方がＰＯＳレジ２３（計算装置）のメモリに格納される。ＰＯＳレジ２３は、各有料設備のコード番号、売上金額、利用回数を格納した後、ＩＣカード２に書き込まれた各有料設備のコード番号、売上金額、利用回数をＩＣカード２から消去する。ＰＯＳレジ２３におけるそれらデータの格納時では、ＰＯＳレジ２３がネットワークを介してＩＣカード精算機２４，２５にアクセスし、売上金額や利用回数に付与された格納時間と識別番号との少なくとも一方を照合する。格納時間や識別番号を照合した結果、同一の格納時間や識別番号が付与された売上金額、利用回数がすでにＩＣカード精算機２４，２５に記憶されていれば、その売上金額や利用回数を記憶することなく、ＩＣカード２に書き込まれた各有料設備のコード番号、売上金額、利用回数をＩＣカード２から消去する。ＰＯＳレジ２３は、各有料設備のコード番号、売上金額、利用回数をＩＣカード２から消去した後、ＩＣカード２に所定の金額をチャージし、チャージ金額をメモリに格納する。
【００８１】
ＩＣカード精算機２４におけるＩＣカード２の精算時では、ＩＣカード２に記憶された各有料設備のコード番号、各有料設備の売上金額および利用回数、格納時間と識別番号との少なくとも一方がＩＣカード精算機２４の（計算装置）メモリに格納される。ＩＣカード精算機２４は、各有料設備のコード番号、売上金額、利用回数を格納した後、ＩＣカード２に書き込まれた各有料設備のコード番号、売上金額、利用回数をＩＣカード２から消去する。ＩＣカード精算機２４におけるそれらデータの格納時では、ＩＣカード精算機２４がネットワークを介してＰＯＳレジ２３や他のＩＣカード精算機２５にアクセスし、売上金額や利用回数に付与された格納時間と識別番号との少なくとも一方を照合する。格納時間や識別番号を照合した結果、同一の格納時間や識別番号が付与された売上金額、利用回数がすでにＰＯＳレジ２３や他のＩＣカード精算機２５に記憶されていれば、その売上金額や利用回数を記憶することなく、ＩＣカード２に書き込まれた各有料設備のコード番号、売上金額、利用回数をＩＣカード２から消去する。ＩＣカード精算機２４は、各有料設備のコード番号、売上金額、利用回数をＩＣカード２から消去した後、ＩＣカード２に所定の金額をチャージし、チャージ金額をメモリに格納する。
【００８２】
ＰＯＳレジ２３とＩＣカード精算機２４，２５とは、ＩＣカード２を精算するときに、ＩＣカード２の残額を関係者に払い戻す。関係者は、ＩＣカード２の残額をＰＯＳレジ２３やＩＣカード精算機２４，２５、ＩＣカード入金機２６を介して確認することができる。
【００８３】
病院１の経営者や有料設備の設置業者は、ＰＯＳレジ２３とＩＣカード精算機２４，２５とにキーボードを介して売上合計額、手数料、合計利用回数、合計チャージ金額の算出を指示することができる。ＰＯＳレジ２３とＩＣカード精算機２４，２５とには、キーボードを介して売上合計額、手数料、合計利用回数を日別または所定の日数単位、月単位で算出させることができる。
【００８４】
なお、ＰＯＳレジ２３やＩＣカード精算機２４，２５には、売上合計額（第１売上合計額）のみを算出させることができ、合計利用回数を除き、売上合計額および売上合計額に対する手数料の両者のみを算出させることもできる。経営者や業者は、有料設備に設定された利益率をキーボードを介して変更することができる。
【００８５】
図３は、ＰＯＳレジ２３やＩＣカード精算機２４，２５における処理の一例を示すフローチャート図である。このフローチャート図では、売上合計額や手数料の算出、合計利用回数の算出、合計チャージ金額の算出を月単位で行う場合を示し、決算日（たとえば、月の最終日）における処理を示す。
【００８６】
ＰＯＳレジ２３とＩＣカード精算機２４，２５とに内蔵された計算装置は、前記第１の計算手段および前記第１の出力手段に基づいて以下の処理を行う。ＩＣカード２を精算するため、ＩＣカード２をＰＯＳレジ２３のＩＣカードリーダ／ライタに挿入したり、ＩＣカード２をＩＣカード精算機２４，２５に挿入すると、計算装置は、ＩＣカード２からカードのコード番号を読み取るとともに、設備の売上金額や利用回数を読み取り（Ｓ−１）、読み取った売上金額や利用回数が集計月内（当月内）のデータであるかを判断する（Ｓ−２）。計算装置は、売上金額や利用回数が集計月内のデータでない場合、売上金額や利用回数をメモリに格納することなく処理を終了し、ＩＣカード２の残額を関係者に払い戻す。計算装置は、売上金額や利用回数に付与された格納時間と識別番号との少なくとも一方を照合し、同一の格納時間や識別番号が付与された売上金額、利用回数がすでにメモリに格納されているかを判断する（Ｓ−３）。計算装置は、同一の格納時間や識別番号が付与された売上金額、利用回数がすでにメモリに格納されていれば、その売上金額や利用回数をメモリに格納することなく処理を終了し、ＩＣカード２の残額を関係者に払い戻す。売上金額や利用回数が集計月内のデータでなく、または、売上金額や利用回数が重複したデータである場合、計算装置は、ＩＣカード２に記憶された有料設備のコード番号、売上金額、利用回数等をＩＣカード２から消去する指令をＩＣカードリーダ／ライタに出力し、ＩＣカードリーダ／ライタがＩＣカード２に記憶されたそれらデータを消去する（Ｓ−４）。
【００８７】
なお、計算装置は、売上金額や利用回数が集計月内のデータであるかを判断することなく、ＩＣカード２に記憶された集計月内の売上金額、利用回数と集計月内以外の売上金額、利用回数とをメモリに格納することもできる。この場合、計算装置のメモリには、集計月内の売上金額、利用回数のみならず、前月や前々月またはそれ以前の売上金額、利用回数が格納される。
【００８８】
計算装置は、売上金額や利用回数が集計月内のデータであり、かつ、重複したデータでない場合、売上金額や利用回数をＩＣカード２のコード番号に関連付けるとともに日別または月別に区分してメモリに格納する（Ｓ−５）。ＩＣカード２が月の決算日以外の日に精算される場合は、売上金額、利用回数が計算装置のメモリに蓄積される。計算装置は、それらデータを格納した後、ＩＣカード２に記憶された有料設備のコード番号、売上金額、利用回数をＩＣカード２から消去する指令をＩＣカードリーダ／ライタに出力し、ＩＣカードリーダ／ライタがＩＣカード２に記憶されたそれらデータを消去する。なお、有料設備がＩＣカード２のメモリ部の物理アドレス領域毎に割り当てられている場合は、ＩＣカード２から売上金額および利用回数のみを消去する（Ｓ−６）。
【００８９】
計算装置は、集計月内の売上金額や利用回数を月の決算日にメモリから取り出す（Ｓ−７）。計算装置では、ＩＣカード２のコード番号に基づいて、集計月内の売上金額や利用回数を患者用カード４，医療施設職員用カード５，学生用カード６，その他カード７の関係者所持用カード毎に区分する（Ｓ−８）。
【００９０】
集計月内のデータとともに集計月内以外のデータをメモリに格納した場合、計算装置は、データ全てをメモリから取り出した後、それらデータを集計月内のそれと集計月内以外のそれとに区分するとともに、ＩＣカード２のコード番号に基づいて、集計月内のデータを患者用カード４，医療施設職員用カード５，学生用カード６，その他カード７の関係者所持用カード毎に区分する。
【００９１】
計算装置は、集計月内の売上金額を集計して関係者所持用カード毎（患者用カード４，医療施設職員用カード５，学生用カード６，その他カード７）の売上合計額（第１売上合計額）を算出し（Ｓ−９）、売上合計額に所定の利益率を乗じて売上合計額に対する関係者所持用カード毎（患者用カード４，医療施設職員用カード５，学生用カード６，その他カード７）の手数料を算出する（Ｓ−１０）。計算装置は、集計月内の有料設備の利用回数を集計して関係者所持用カード毎（患者用カード４，医療施設職員用カード５，学生用カード６，その他カード７）の合計利用回数を算出する（Ｓ−１１）。
【００９２】
計算装置は、ＩＣカード２に所定の金額をチャージし（Ｓ−１２）、チャージ金額を日別または月別に区分してメモリに格納する。計算装置は、集計月内におけるチャージ金額を月の決算日にメモリから取り出す（Ｓ−１３）。計算装置は、関係者所持用カード毎（患者用カード４，医療施設職員用カード５，学生用カード６，その他カード７）の合計チャージ金額を算出する（Ｓ−１４）。計算装置は、算出した売上合計額、手数料、合計利用回数、合計チャージ金額を関係者所持用カード毎に区分してメモリに格納する（Ｓ−１５）。
【００９３】
計算装置では、算出した関係者所持用カード毎（患者用カード４，医療施設職員用カード５，学生用カード６，その他カード７）における有料設備の売上合計額、手数料、合計利用回数、合計チャージ金額の表示指令をディスプレイに出力するとともに、それらの明細の印字指令をプリンタに出力する。ディスプレイは、関係者所持用カード毎の売上合計額、手数料、合計利用回数、合計チャージ金額を表示し（Ｓ−１６）、プリンタは、関係者所持用カード毎の売上合計額、手数料、合計利用回数、合計チャージ金額の明細を印字する（Ｓ−１７）。
【００９４】
図４は、プリンタを介して印字された売上合計額、手数料、利益率、合計利用回数、合計チャージ金額の明細の一例を示す図である。図４の明細は、ある月における関係者所持用カード毎の売上合計額、手数料、合計利用回数、合計チャージ金額を算出したものである。明細の上欄における横軸には、左から売上合計額、手数料、利益率、合計利用回数、合計チャージ金額が表示され、明細の左欄における縦軸には、上から患者用カード、医療施設職員用カード、学生用カード、その他カード，計が表示されている。
【００９５】
明細では、集計月内における患者用カードの売上合計額が３，１４０，０８０円、手数料が１４０，７２７円、売上合計額に対する利益率が４．４８％、合計利用回数が１１，０５８回、合計チャージ金額が１，１０２，０００円であることが分かり、集計月内における医療施設職員用カードの売上合計額が１，９９５，４４７円、手数料が８１，８１３円、売上合計額に対する利益率が４．１０％、合計利用回数が７，０２７回、合計チャージ金額が９０７，０００円であることが分かる。集計月内における学生用カードの売上合計額が３１，２６６円、手数料が１，１８７円、売上合計額に対する利益率が３．８０％、合計利用回数が１１０回、合計チャージ金額が１３，０００円であることが分かり、集計月内におけるその他カードの売上合計額が１，２７０，５７０円、手数料が５８，４４６円、売上合計額に対する利益率が４．６０％、合計利用回数が４，４７４回、合計チャージ金額が６５９，０００円であることが分かる。
【００９６】
第１の計算手段および算出手段による処理例では、ＰＯＳレジ２３やＩＣカード精算機によって、関係者所持用カード毎の売上合計額（第１売上合計額）、手数料、合計利用回数を迅速に算出することができるので、売上合計額や手数料、合計利用回数を病院１の職員や業者の従業員が手作業で算出する必要はなく、労力と時間とを大幅に削減することができる。売上合計額や手数料、合計利用回数の算出を病院１の職員や業者の従業員が行う場合、計算ミスが生じ易い。しかし、売上合計額や手数料、合計利用回数の算出をＰＯＳレジ２３やＩＣカード精算機が行うので、それらの算出における計算ミスを防ぐことができる。さらに、関係者所持用カード毎の売上合計額や合計利用回数を知ることができるので、関係者所持用カード毎の効率を確認することができ、患者や病院職員、学生、来訪者等におけるＩＣカード２の売上を予測することができる。この処理例では、ＩＣカード２へのチャージ金額を集計し、関係者所持用カード毎の合計チャージ金額を算出することができ、患者や病院職員、学生、来訪者等におけるＩＣカード２へのチャージ金額を予測することができる。
【００９７】
図５，６は、ＰＯＳレジ２３やＩＣカード精算機２４，２５における処理の他の一例を示すフローチャート図と、図５から続くフローチャート図とであり、図７は、図６から続くフローチャート図である。なお、それらフローチャート図では、図３のそれと同様に、売上合計額や手数料の算出、合計利用回数の算出を月単位で行う場合を示し、決算日（たとえば、月の最終日）における処理を示す。
【００９８】
ＰＯＳレジ２３とＩＣカード精算機２４，２５とに内蔵された計算装置は、前記第２の計算手段および前記第２の出力手段に基づいて以下の処理を行う。ＩＣカード２を精算するため、ＩＣカード２をＰＯＳレジ２３のＩＣカードリーダ／ライタに挿入したり、ＩＣカード２をＩＣカード精算機２４，２５に挿入すると、計算装置は、ＩＣカード２からカードのコード番号を読み取るとともに、設備のコード番号、設備の売上金額や利用回数を読み取り（Ｓ−２０）、読み取った売上金額や利用回数が集計月内（当月内）のデータであるかを判断する（Ｓ−２１）。計算装置は、売上金額や利用回数が集計月内のデータでない場合、売上金額や利用回数をメモリに格納することなく処理を終了し、ＩＣカード２の残額を関係者に払い戻す。計算装置は、売上金額や利用回数に付与された格納時間と識別番号との少なくとも一方を照合し、同一の格納時間や識別番号が付与された売上金額、利用回数がすでにメモリに格納されているかを判断する（Ｓ−２２）。計算装置は、同一の格納時間や識別番号が付与された売上金額、利用回数がすでにメモリに格納されていれば、その売上金額や利用回数をメモリに格納することなく処理を終了し、ＩＣカード２の残額を関係者に払い戻す。売上金額や利用回数が集計月内のデータでなく、または、売上金額や利用回数が重複したデータである場合、計算装置は、ＩＣカード２に記憶された有料設備のコード番号、売上金額、利用回数等をＩＣカード２から消去する指令をＩＣカードリーダ／ライタに出力し、ＩＣカードリーダ／ライタがＩＣカード２に記憶されたそれらデータを消去する（Ｓ−２３）。
【００９９】
なお、計算装置は、売上金額や利用回数が集計月内のデータであるかを判断することなく、ＩＣカード２に記憶された集計月内の売上金額、利用回数と集計月内以外の売上金額、利用回数とをメモリに格納することもできる。この場合、計算装置のメモリには、集計月内の売上金額、利用回数のみならず、前月や前々月またはそれ以前の売上金額、利用回数が格納される。
【０１００】
計算装置は、売上金額や利用回数が集計月内のデータであり、かつ、重複したデータでない場合、売上金額や利用回数をＩＣカード２のコード番号および設備のコード番号に関連付けるとともに日別または月別に区分してメモリに格納する（Ｓ−２４）。ＩＣカード２が月の決算日以外の日に精算される場合は、売上金額、利用回数が計算装置のメモリに蓄積される。計算装置は、それらデータを格納した後、ＩＣカード２に記憶された有料設備のコード番号、売上金額、利用回数をＩＣカード２から消去する指令をＩＣカードリーダ／ライタに出力し、ＩＣカードリーダ／ライタがＩＣカード２に記憶されたそれらデータを消去する（Ｓ−２５）。なお、有料設備がＩＣカード２のメモリ部の物理アドレス領域毎に割り当てられている場合は、ＩＣカード２から売上金額および利用回数のみを消去する。
【０１０１】
計算装置は、自動販売機１１のコード番号に基づいて、集計月内の自動販売機１１の売上金額や利用回数を月の決算日にメモリから取り出す（Ｓ−２６）。計算装置では、ＩＣカード２のコード番号に基づいて、集計月内の自動販売機１１の売上金額や利用回数を患者用カード４，医療施設職員用カード５，学生用カード６，その他カード７の関係者所持用カード毎に区分する（Ｓ−２７）。
【０１０２】
集計月内のデータとともに集計月内以外のデータをメモリに格納した場合、計算装置は、自動販売機１１のデータ全てをメモリから取り出した後、それらデータを集計月内のそれと集計月内以外のそれとに区分するとともに、ＩＣカード２のコード番号に基づいて、集計月内の自動販売機１１のデータを患者用カード４，医療施設職員用カード５，学生用カード６，その他カード７の関係者所持用カード毎に区分する。
【０１０３】
計算装置は、集計月内における自動販売機１１の売上金額を集計し、関係者所持用カード毎（患者用カード４，医療施設職員用カード５，学生用カード６，その他カード７）の自動販売機１１の売上合計額（第２売上合計額）を算出する（Ｓ−２８）。計算装置は、売上合計額に所定の利益率を乗じて売上合計額に対する関係者所持用カード毎（患者用カード４，医療施設職員用カード５，学生用カード６，その他カード７）の自動販売機１１の手数料を算出する（Ｓ−２９）。計算装置は、集計月内における自動販売機１１の利用回数を集計し、関係者所持用カード毎（患者用カード４，医療施設職員用カード５，学生用カード６，その他カード７）の自動販売機１１の合計利用回数を算出する（Ｓ−３０）。計算装置は、算出した自動販売機１１の売上合計額、手数料、合計利用回数を関係者所持用カード毎に区分してメモリに格納する（Ｓ−３１）。
【０１０４】
計算装置は、売店１２のコード番号に基づいて、集計月内の売店１２の売上金額や利用回数を月の決算日にメモリから取り出す（Ｓ−３２）。計算装置では、ＩＣカード２のコード番号に基づいて、集計月内の売店１２の売上金額や利用回数を患者用カード４，医療施設職員用カード５，学生用カード６，その他カード７の関係者所持用カード毎に区分する（Ｓ−３３）。
【０１０５】
集計月内のデータとともに集計月内以外のデータをメモリに格納した場合、計算装置は、売店１２のデータ全てをメモリから取り出した後、それらデータを集計月内のそれと集計月内以外のそれとに区分するとともに、ＩＣカード２のコード番号に基づいて、集計月内の売店１２のデータを患者用カード４，医療施設職員用カード５，学生用カード６，その他カード７の関係者所持用カード毎に区分する。
【０１０６】
計算装置は、集計月内における売店１２の売上金額を集計し、関係者所持用カード毎の売店１２の売上合計額（第２売上合計額）を算出する（Ｓ−３４）。計算装置は、売上合計額に所定の利益率を乗じて売上合計額に対する関係者所持用カード毎の売店１２の手数料を算出する（Ｓ−３５）。計算装置は、集計月内における売店１２の利用回数を集計し、関係者所持用カード毎の売店１２の合計利用回数を算出する（Ｓ−３６）。計算装置は、算出した売店１２の売上合計額、手数料、合計利用回数を関係者所持用カード毎に区分してメモリに格納する（Ｓ−３７）。
【０１０７】
計算装置は、食券券売機１３のコード番号に基づいて、集計月内の食券券売機１３の売上金額や利用回数を月の決算日にメモリから取り出す（Ｓ−３８）。計算装置では、ＩＣカード２のコード番号に基づいて、集計月内の食券券売機１３の売上金額や利用回数を患者用カード４，医療施設職員用カード５，学生用カード６，その他カード７の関係者所持用カード毎に区分する（Ｓ−３９）。
【０１０８】
集計月内のデータとともに集計月内以外のデータをメモリに格納した場合、計算装置は、食券券売機１３のデータ全てをメモリから取り出した後、それらデータを集計月内のそれと集計月内以外のそれとに区分するとともに、ＩＣカード２のコード番号に基づいて、集計月内の食券券売機１３のデータを患者用カード４，医療施設職員用カード５，学生用カード６，その他カード７の関係者所持用カード毎に区分する。
【０１０９】
計算装置は、集計月内における食券券売機１３の売上金額を集計し、関係者所持用カード毎の食券券売機１３の売上合計額（第２売上合計額）を算出する（Ｓ−４０）。計算装置は、売上合計額に所定の利益率を乗じて売上合計額に対する関係者所持用カード毎の食券券売機１３の手数料を算出する（Ｓ−４１）。計算装置は、集計月内における食券券売機１３の利用回数を集計し、関係者所持用カード毎の食券券売機１３の合計利用回数を算出する（Ｓ−４２）。計算装置は、算出した食券券売機１３の売上合計額、手数料、合計利用回数を関係者所持用カード毎に区分してメモリに格納する（Ｓ−４３）。
【０１１０】
計算装置では、上記処理を繰り返し、電話およびファクシミリ１４，１９，コピー機１５，駐車場１６，テレビ１７，インターネット１８，冷蔵庫２０，洗濯機２１，乾燥機２２の有料設備の全てにおいて、集計月内における関係者所持用カード毎あってそれら有料設備毎の売上合計額や手数料、合計利用回数の算出を行う（Ｓ−４４）。
【０１１１】
計算装置では、関係者所持用カード毎あって有料設備毎の売上合計額、手数料、利益率、合計利用回数の表示指令をディスプレイに出力するとともに、それらの明細の印字指令をプリンタに出力する。ディスプレイは、関係者所持用カード毎あって有料設備毎の売上合計額、手数料、合計利用回数を表示し（Ｓ−４５）、プリンタは、関係者所持用カード毎あって有料設備毎の売上合計額、手数料、合計利用回数の明細を印字する（Ｓ−４６）。計算装置は、ＩＣカード２に所定の金額をチャージする（Ｓ−４７）。
【０１１２】
図８は、プリンタを介して印字された売上合計額、手数料、利益率、合計利用回数の明細の他の一例を示す図である。図８の明細は、ある月における各有料設備毎の患者用カードの売上合計額、手数料、利益率、合計利用回数を算出したものである。明細の上欄における横軸には、左から売上合計額、手数料、利益率、合計利用回数が表示され、明細の左欄における縦軸には、上から自動販売機，売店，食堂，駐車場，電話およびファクシミリ，コピー機，テレビ，インターネット，冷蔵庫，洗濯機，乾燥機の各有料設備が表示されている。
【０１１３】
患者用カードの明細では、集計月内における自動販売機の売上金額が６６，３６０円、手数料が１，９９１円、利益率が３％、合計利用回数が５５３回であることが分かり、集計月内における売店の売上金額が５５２，７５０円、手数料が２２，１１０円、利益率が４％、合計利用回数が２，０４１回であることが分かる。集計月内における食堂の売上金額が８８２，６００円、手数料が６１，７８２円、利益率が７％、合計利用回数が１，０８４回であることが分かり、集計月内における駐車場の売上金額が６３０，０００円、手数料が１８，９００円、利益率が３％、合計利用回数が１，０５０回であることが分かる。患者用カードの明細では、電話およびファクシミリ，コピー機，テレビ，インターネット，冷蔵庫，洗濯機，乾燥機の各有料設備の売上合計額、手数料、利益率、合計利用回数が分かり、患者用カードの売上合計額の総計が３，１４０，０８０円、手数料の総計が１４０，７２７円、利益率が４．４８％、合計利用回数の総計が１１，０５８回であることが分かる。明細は、図示はしていないが、患者用カードのそれのみならず、医療施設職員用カード、学生用カード、その他カードのそれらも出力される。
【０１１４】
第２の計算手段および算出手段による処理例では、ＰＯＳレジ２３やＩＣカード精算機２４，２５によって、関係者所持用カード毎であって有料設備毎の売上合計額（第２売上合計額）、手数料、合計利用回数を迅速に算出することができるので、売上合計額や手数料、合計利用回数を病院１の職員や業者の従業員が手作業で算出する必要はなく、労力と時間とを大幅に削減することができる。また、売上合計額や手数料、合計利用回数の算出をＰＯＳレジ２３やＩＣカード精算機２４，２５が行うので、それらの算出における計算ミスを防ぐことができる。さらに、関係者所持用カード毎であって有料設備毎の売上合計額や合計利用回数を知ることができるので、ＩＣカード２や有料設備の効率を確認することができ、ＩＣカード２や有料設備の売上を予測することができる。
【０１１５】
有料設備は、それらを設置する業者が必ずしも同一ではなく、有料設備毎にそれを設置する業者が異なる。施設では、業者に有料設備の設置を許可する代わりに、有料設備の売上合計額に所定の利益率を乗じた手数料をそれら業者から徴収する場合がある。また、業者が有料設備を施設に無償で貸与する代わりに、施設が有料設備の売上合計額に所定の利益率を乗じた手数料を業者に支払う場合がある。この処理例では、出力された明細を利用して有料設備を設置した業者に手数料を請求する請求書を作成することができ、明細を利用して病院１が有料設備を設置した業者に支払う手数料の明細を作成することができる。なお、この処理例では、関係者所持用カード毎の合計チャージ金額の算出を省略しているが、図３に示す処理例と同様に、関係者所持用カード毎の合計チャージ金額を算出することができることはいうまでもない。
【０１１６】
このシステムでは、売上合計額や手数料、合計利用回数、合計チャージ金額の算出を日別に行う場合、たとえば、キーボードを介して計算装置３に所定の日を入力すると、その日における売上合計額や手数料、合計利用回数、合計チャージ金額が算出される。また、売上合計額や手数料、合計利用回数、合計チャージ金額の算出を所定の日数単位で行う場合、たとえば、キーボードを介して計算装置３に１日〜２０日を入力すると、１日〜２０日の間における売上合計額や手数料、合計利用回数、合計チャージ金額が算出される。
【０１１７】
このシステムでは、精算装置３のメモリに格納した売上金額や利用回数、チャージ金額の各データを消去する指令が入力されない限り、それらデータがメモリに保持されるので、前月や前々月等のそれらデータをメモリから取り出し、前月や前々月等の売上合計額、手数料、合計利用回数、合計チャージ金額の算出を行うことができる。このシステムでは、入力装置を利用してディスプレイに表示された明細のレイアウトおよびプリンタから出力される明細のレイアウトを変更することができる。
【０１１８】
このシステムにおけるＩＣカード入金機２６は、ＩＣカードリーダ／ライタ（図示せず）を介してＩＣカード２に金額をチャージする。ＩＣカード入金機２６は、ＰＯＳレジ２３やＩＣカード精算機２４，２５と同様に、制御部および演算部を有するＣＰＵとメモリとから形成された計算装置を内蔵し、計算装置に入力装置および出力装置が入出力インターフェイスを介して接続されていてもよい。この場合、ＩＣカード入金機２６は、ＩＣカード２にチャージした金額を記憶するとともに、ＩＣカード２にチャージした金額を関係者所持用カード毎に区分して集計し、関係者所持用カード毎の合計チャージ金額を算出することができる。ＩＣカード入金機２６は、合計チャージ金額の算出を日別、あるいは、所定の日数単位または月単位で行う。ＩＣカード入金機２６は、算出した合計チャージ金額を記憶することができ、関係者所持用カード毎の合計チャージ金額の明細を出力装置を介して出力することができる。
【０１１９】
このシステムは、病院１のみならず、旅行客や出張者が宿泊するホテルにおいて利用することもできる。ホテルにおける関係者とは、ホテルの経営者や従業員、宿泊客、有料設備の設置業者をいう。ＩＣカード２は、たとえば、ホテル職員用カード、宿泊客用カード、その他カードに区分することができる。ホテルに設置される有料設備としては、自動販売機、売店、電話およびファクシミリ、民放地上波放送およびＣＳやＢＳ等の自主放送テレビ、インターネット、冷蔵庫、洗濯機がある。なお、有料設備には、特に限定はなく、特定の施設に設置可能であるとともに、所定の商取引に伴う売上金額をＩＣカード２から減算可能であれば、実施の形態において例示したそれら有料設備のみに限定するものではない。
【０１２０】
更に、本発明に係るカード決済システムの構成例を説明する。
（１）請求項１４〜請求項２０に対応する構成例
特定の施設である病院１内に、自動販売機１１や食券券売機１３、テレビ１７、電話１４、１９等の複数の有料設備が設置されている。
病院１の複数の関係者が個別にＩＣカード２を所持している。
ＩＣカード２に記憶された情報を読み取る精算装置３であるＰＯＳレジ２３やＩＣカード精算機２４を備えている。
それぞれの関係者は、自己のＩＣカード２を使用して、それぞれの有料設備において所定の商取引を行うことが可能であり、ＩＣカードリーダ／ライタ機能により当該商取引に伴う有料設備毎の売上金額が当該ＩＣカード２から減算される。
ＩＣカード２は、商取引に伴う有料設備毎の売上金額を記憶する記憶手段であるメモリを有している。なお、有料設備毎の売上金額は、例えば、それぞれの有料設備のコード番号と売上金額との対応を記憶することにより管理され、或いは、それぞれの有料設備をＩＣカード２のメモリ部の物理アドレス毎に割り当てて売上金額を記憶することにより管理される。
【０１２１】
関係者としては、患者、医療施設職員、学生、その他の者が存在する。
ＩＣカード２は、関係者の病院１に対する関連形態に基づいて複数種類の関係者所持用カードに区分されており、該ＩＣカード２の区分を識別する情報（本例では、コード番号）を記憶する区分識別情報記憶手段であるメモリを有している。
関係者所持用カードとしては、患者は患者用カード４を所持しており、医療施設職員は医療施設職員用カード５を所持しており、学生は学生用カード６を所持しており、その他の者はその他カード７を所持している。
【０１２２】
精算装置３は、ＩＣカード２に記憶された有料設備毎の売上金額を該ＩＣカード２から読み取る読取手段であるＩＣカードリーダ／ライタ機能と、ＩＣカード２から読み取った有料設備毎の売上金額を集計する計算手段である演算機能を有している。
精算装置３の計算手段は、例えば、複数のＩＣカード２から読み取った有料設備毎の売上金額について、有料設備毎に売上金額の合計額を算出する。
また、例えば、精算装置３の読取手段は、ＩＣカード２の区分を識別する情報を該ＩＣカード２から読み取り、精算装置３の計算手段は、複数のＩＣカード２から読み取った有料設備毎の売上金額について、ＩＣカード２の区分を示す関係者所持用カード毎であって有料設備毎に、売上金額の合計額を算出する。本例では、患者用カード、医療施設職員用カード、学生用カード、その他カードのそれぞれ毎に、有料設備毎に、売上金額の合計額が算出される。
【０１２３】
また、例えば、精算装置３の計算手段は、複数のＩＣカード２から読み取った有料設備毎の売上金額について、有料設備毎に、全てのＩＣカード２の区分をまとめた売上金額の合計額を算出する。
また、精算装置３は、計算手段により得られた集計結果を出力する出力手段である印刷機や表示画面を有している。集計結果としては、例えば、その明細が出力される。
また、例えば、ＩＣカード２の記憶手段は、日別または月別に区分して商取引に伴う有料設備毎の売上金額を記憶し、精算装置３の計算手段は、所定の日数単位または月単位で、ＩＣカード２から読み取った有料設備毎の売上金額を集計する。
【０１２４】
このように、本例のカード決済システムでは、精算時にＩＣカード２の使用履歴を見て、各有料設備毎で使用した金額を集計、管理、出力などすることができる。例えば、精算装置３によりＩＣカード２から各有料設備毎の金額を読み取った結果に基づいて、各有料設備毎に金額を振り分けて、全てのカード区分をまとめた有料設備毎の集計或いはカード区分毎且つ有料設備毎の集計などが可能である。
また、本例では、例えば、精算装置３の側で、ＩＣカード２による売上金額などの種々な情報を一括して管理することが可能である。
【０１２５】
また、本例では、売上金額について示したが、例えば、売上金額の代わりに、売上金額の合計額に所定の利益率を乗じて算出される手数料や、有料設備に対する利用回数などに同様な構成を適用することも可能である。
また、例えば、ＩＣカード２の区分毎に、有料設備に対する値引率を設定するようなことも可能である。この場合、有料設備では、ＩＣカードリーダ／ライタ機能により、使用されるＩＣカード２の区分を識別する情報を読み取り、読み取った区分に対応する値引率で商品などの金額（売上金額）を減少させる。
【０１２６】
本例では、有料設備で使用した履歴がＩＣカード２に残り、精算装置３の側では個々の履歴は管理せずにＩＣカード２からの履歴の読み取りにより売上金額などを収集する構成（オフラインの構成）としたため、例えば、通信ラインを引き回さなくてもよく、物やベッドを自由に動かすことができて便利である。
【０１２７】
（２）請求項２１〜請求項２７に対応する構成例
特定の施設である病院１内に、自動販売機１１や食券券売機１３、テレビ１７、電話１４、１９等の複数の有料設備が設置されている。
病院１の複数の関係者が個別にＩＣカード２を所持している。
ＩＣカード２に記憶された情報を読み取る精算装置３であるＰＯＳレジ２３やＩＣカード精算機２４を備えている。
それぞれの関係者は、自己のＩＣカード２を使用して、それぞれの有料設備において所定の商取引を行うことが可能であり、ＩＣカードリーダ／ライタ機能により当該商取引に伴う売上金額が当該ＩＣカード２から減算される。
ＩＣカード２は、商取引に伴う売上金額を記憶する記憶手段であるメモリを有している。
【０１２８】
関係者としては、患者、医療施設職員、学生、その他の者が存在する。
ＩＣカード２は、関係者の病院１に対する関連形態に基づいて複数種類の関係者所持用カードに区分されており、該ＩＣカード２の区分を識別する情報（本例では、コード番号）を記憶する区分識別情報記憶手段であるメモリを有している。
関係者所持用カードとしては、患者は患者用カード４を所持しており、医療施設職員は医療施設職員用カード５を所持しており、学生は学生用カード６を所持しており、その他の者はその他カード７を所持している。
【０１２９】
精算装置３は、ＩＣカード２の区分を識別する情報を該ＩＣカード２から読み取るとともにＩＣカード２に記憶された売上金額を該ＩＣカード２から読み取る読取手段であるＩＣカードリーダ／ライタと、複数のＩＣカード２から読み取った売上金額についてＩＣカード２の区分を示す関係者所持用カード毎に売上金額の合計額を算出する計算手段である演算機能を有している。
例えば、ＩＣカード２の記憶手段は、残金（現在においてチャージされている金額）を特定する情報を記憶し、精算装置３の読取手段は、ＩＣカード２に記憶された残金を特定する情報を読み取り、精算装置３の計算手段は、複数のＩＣカード２から読み取った残金について、ＩＣカード２の区分を示す関係者所持用カード毎に、残金の合計額を算出する。本例では、患者用カード、医療施設職員用カード、学生用カード、その他カードのそれぞれ毎に、残金の合計額が算出される。
【０１３０】
例えば、ＩＣカード２の記憶手段は、該ＩＣカード２の初期的なチャージ金額（本例では、ＩＣカード販売機８による販売時におけるチャージ金額）を特定する情報を記憶し、精算装置３の読取手段は、ＩＣカード２に記憶された初期的なチャージ金額を特定する情報を読み取り、精算装置３の計算手段は、複数のＩＣカード２から読み取った初期的なチャージ金額について、ＩＣカード２の区分を示す関係者所持用カード毎に、初期的なチャージ金額の合計額を算出する。
例えば、ＩＣカード２の記憶手段は、該ＩＣカード２の初期以外のチャージ金額（本例では、ＩＣカード入金機２６による入金金額）を特定する情報を記憶し、精算装置３の読取手段は、ＩＣカード２に記憶された初期以外のチャージ金額を特定する情報を読み取り、精算装置３の計算手段は、複数のＩＣカード２から読み取った初期以外のチャージ金額について、ＩＣカード２の区分を示す関係者所持用カード毎に、初期以外のチャージ金額の合計額を算出する。
【０１３１】
精算装置３は、計算手段により得られた集計結果を出力する出力手段である印刷機や表示画面を有している。集計結果としては、例えば、その明細が出力される。
例えば、ＩＣカード２の記憶手段は、日別または月別に区分して商取引に伴う売上金額を記憶し、精算装置３の計算手段は、所定の日数単位または月単位で、ＩＣカード２から読み取った売上金額を集計する。
【０１３２】
このように、本例のカード決済システムでは、ＩＣカード販売装置や、ＩＣカード入金装置や、精算装置のそれぞれについて、ＩＣカードの区分（利用者の区分）毎に、使用した金額などを集計、管理、出力などすることができる。例えば、ＩＣカードの区分毎に、初期的なチャージ（イニシャルチャージ）の金額や、初期以外のチャージ（追加チャージ）の金額や、実際に消費されたチャージ金額や、払い戻された保証金額や、精算額などを集計などすることができる。
また、例えば、医者（本例では、医療施設職員）については福利厚生費とし、患者については一般の利益とするなどにより、プリペイドカード法における会計上の要件を満たすような金額明細を出力などすることができる。
また、本例では、例えば、精算装置３の側で、ＩＣカード２による売上金額、ＩＣカード２の販売金額や初期的なチャージ金額、ＩＣカード２への初期以外の追加的な入金金額などの種々な情報を一括して管理することが可能である。
【０１３３】
また、本例では、売上金額などについて示したが、例えば、売上金額の代わりに、売上金額の合計額に所定の利益率を乗じて算出される手数料や、有料設備に対する利用回数などに同様な構成を適用することも可能である。
また、例えば、ＩＣカード２の区分毎に、有料設備に対する値引率を設定するようなことも可能である。この場合、有料設備では、ＩＣカードリーダ／ライタ機能により、使用されるＩＣカード２の区分を識別する情報を読み取り、読み取った区分に対応する値引率で商品などの金額（売上金額）を減少させる。
【０１３４】
本例では、有料設備で使用した履歴がＩＣカード２に残り、精算装置３の側では個々の履歴は管理せずにＩＣカード２からの履歴の読み取りにより売上金額などを収集する構成（オフラインの構成）としたため、例えば、通信ラインを引き回さなくてもよく、物やベッドを自由に動かすことができて便利である。
【０１３５】
（３）請求項２８及び請求項３０〜請求項３１に対応する構成例
特定の施設である病院１内に、自動販売機１１や食券券売機１３、テレビ１７、電話１４、１９等の複数の有料設備が設置されている。
病院１の複数の関係者が個別にＩＣカード２を所持している。
ＩＣカード２に記憶された情報を読み取る精算装置３であるＰＯＳレジ２３やＩＣカード精算機２４を備えている。
ＩＣカード２を販売するＩＣカード販売装置であるＩＣカード販売機８を備えている。
それぞれの関係者は、自己のＩＣカード２を使用して、それぞれの有料設備において所定の商取引を行うことが可能であり、ＩＣカードリーダ／ライタ機能により当該商取引に伴う売上金額が当該ＩＣカード２から減算される。
ＩＣカード２は、商取引に伴う売上金額を記憶する記憶手段であるメモリを有している。
【０１３６】
関係者としては、患者、医療施設職員、学生、その他の者が存在する。
ＩＣカード２は、関係者の病院１に対する関連形態に基づいて複数種類の関係者所持用カードに区分されており、該ＩＣカード２の区分を識別する情報（本例では、コード番号）を記憶する区分識別情報記憶手段であるメモリを有している。
関係者所持用カードとしては、患者は患者用カード４を所持しており、医療施設職員は医療施設職員用カード５を所持しており、学生は学生用カード６を所持しており、その他の者はその他カード７を所持している。
それぞれの関係者は、ＩＣカード販売機８により、自己に対応した区分のＩＣカード２を購入することができる。
【０１３７】
また、システムには、ＩＣカード２の区分を示す関係者所持用カード毎にＩＣカード販売装置によるＩＣカード２の販売金額や初期的なチャージ金額を集計する集計装置を備えている。本例では、患者用カード、医療施設職員用カード、学生用カード、その他カードのそれぞれ毎に、ＩＣカード２の販売金額や初期的なチャージ金額が算出される。
集計装置は、集計結果を出力する出力手段である印刷機や表示画面を有している。集計結果としては、例えば、その明細が出力される。
なお、集計装置としては、例えば、別個な装置として備えられてもよく、或いは、ＩＣカード販売装置や精算装置などと一体化されて備えられてもよい。
一例として、ＩＣカード販売装置は、販売したＩＣカード２の保証金額や、販売したＩＣカード２の初期的なチャージ金額や、販売したＩＣカード２の販売金額などを、ＩＣカード２の区分毎に、集計などすることができる。ここで、本例では、ＩＣカード２の保証金額と初期的なチャージ金額との合計額がＩＣカード２の販売金額となり、ＩＣカード２を返却するときに保証金額が返金される。
【０１３８】
（４）請求項２９〜請求項３１に対応する構成例
特定の施設である病院１内に、自動販売機１１や食券券売機１３、テレビ１７、電話１４、１９等の複数の有料設備が設置されている。
病院１の複数の関係者が個別にＩＣカード２を所持している。
ＩＣカード２に記憶された情報を読み取る精算装置３であるＰＯＳレジ２３やＩＣカード精算機２４を備えている。
ＩＣカード２に対して入金を行うＩＣカード入金装置であるＩＣカード入金機２６を備えている。
それぞれの関係者は、自己のＩＣカード２を使用して、それぞれの有料設備において所定の商取引を行うことが可能であり、ＩＣカードリーダ／ライタ機能により当該商取引に伴う売上金額が当該ＩＣカード２から減算される。
ＩＣカード２は、商取引に伴う売上金額を記憶する記憶手段であるメモリを有している。
【０１３９】
関係者としては、患者、医療施設職員、学生、その他の者が存在する。
ＩＣカード２は、関係者の病院１に対する関連形態に基づいて複数種類の関係者所持用カードに区分されており、該ＩＣカード２の区分を識別する情報（本例では、コード番号）を記憶する区分識別情報記憶手段であるメモリを有している。
関係者所持用カードとしては、患者は患者用カード４を所持しており、医療施設職員は医療施設職員用カード５を所持しており、学生は学生用カード６を所持しており、その他の者はその他カード７を所持している。
それぞれの関係者は、ＩＣカード入金機２６により、自己が所持するＩＣカード２に入金することができる。
【０１４０】
また、システムには、ＩＣカード２の区分を示す関係者所持用カード毎にＩＣカード入金装置による入金金額を集計する集計装置を備えている。本例では、患者用カード、医療施設職員用カード、学生用カード、その他カードのそれぞれ毎に、ＩＣカード２への入金金額（本例では、初期以外のチャージ金額）が算出される。
集計装置は、集計結果を出力する出力手段である印刷機や表示画面を有している。集計結果としては、例えば、その明細が出力される。
なお、集計装置としては、例えば、別個な装置として備えられてもよく、或いは、ＩＣカード入金装置や精算装置などと一体化されて備えられてもよい。
一例として、ＩＣカード入金装置は、ＩＣカード２に初期以外で追加的にチャージされた金額を、ＩＣカード２の区分毎に、集計などすることができる。
【図面の簡単な説明】
【０１４１】
【図１】一例として示すカード決済システムの構成図。
【図２】システムにおけるＩＣカードの使用および精算の手順を示す図。
【図３】ＰＯＳレジやＩＣカード精算機における処理の一例を示すフローチャート図。
【図４】売上合計額、手数料、利益率、合計利用回数の明細の一例を示す図。
【図５】ＰＯＳレジやＩＣカード精算機における処理の他の一例を示すフローチャート図。
【図６】図５から続くフローチャート図。
【図７】図６から続くフローチャート図。
【図８】売上合計額、手数料、利益率、合計利用回数の明細の他の一例を示す図。
【符号の説明】
【０１４２】
１              病院
２              ＩＣカード
３              精算装置
４              患者用カード（関係者所持用カード）
５              医療施設職員用カード（関係者所持用カード）
６              学生用カード（関係者所持用カード）
７              その他カード（関係者所持用カード）
１１              自動販売機（有料設備）
１２              売店（有料設備）
１３              食券券売機（有料設備）
１４              公衆電話およびファクシミリ（有料設備）
１５              コピー機（有料設備）
１６              有料駐車場（有料設備）
１７              テレビ（有料設備）
１８              インターネット（有料設備）
１９              電話（有料設備）
２０              冷蔵庫（有料設備）
２１              洗濯機（有料設備）
２２              乾燥機（有料設備）
２３              ＰＯＳレジ（精算装置）
２４              ＩＣカード精算機（精算装置）
２５              ＩＣカード精算機（精算装置）
２６              ＩＣカード入金機
２７              ＩＣカードカードリーダ／ライタ
２８              ＩＣカードカードリーダ／ライタ
【図１】
2005056402.tif 000003
【図２】
2005056402.tif 000004
【図３】
2005056402.tif 000005
【図４】
2005056402.tif 000006
【図５】
2005056402.tif 000007
【図６】
2005056402.tif 000008
【図７】
2005056402.tif 000009
【図８】
2005056402.tif 000010